(57)【要約】【課題】並列に接続された同一形式の複数の反応槽において、窒素含有水を処理するにあたり、すべての反応槽で高価な硝酸計を使用しなくても、硝酸計を使用したのと同様に精度よく処理すること【解決手段】複数の反応槽に同一の流量で窒素含有水を供給し、前記複数の反応槽のいずれかの槽において、反応槽の途中位置、あるいは第１〜ｎの所定位置に設けた硝酸計による測定結果に基づき、当該反応槽で最適な脱窒及び硝化が行われるよう、それぞれの上流区間を含む区間で散気を制御するとともに、当該反応槽の所定位置で測定された溶存酸素量に基づき他の反応槽の同一位置における溶存酸素量の目標値を設定し、他の反応槽の散気量を制御する。【選択図】図１Ａ
2015054270.tif 000002
【特許請求の範囲】
【請求項１】
並列に接続された同一形式の複数の反応槽と、
各反応槽に流入する窒素含有水の流量が同一となるよう制御する流量制御手段と、
各反応槽内において窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段と、
前記複数の反応槽のいずれか１つの反応槽において、前記窒素含有水の流れ方向に沿った、最低限必要な脱窒窒素量を得るための上流側脱窒区間と、前記上流側脱窒区間の下流側に接続する最終的に必要な硝化水質を得るための下流側硝化区間との間である、途中位置に設けられ、前記途中位置において前記硝酸の所望割合が脱窒されているか否かという脱窒状態を確認する脱窒確認手段と、
前記脱窒確認手段により確認された前記脱窒状態に基づいて、前記途中位置において前記硝酸の所望割合が脱窒されるように、前記窒素含有水の流れ方向に沿った、前記脱窒確認手段より少なくとも上流側を含む、前記脱窒確認手段に起因する散気手段の制御が行われる区間における前記散気手段による気体の供給量を制御する第１の気体供給量制御手段と、
各反応槽内であって、前記散気手段による散気効果が発現するまでの区間を除く前記脱窒確認手段に起因する散気手段の制御が行われる区間における前記途中位置と同じ位置又は異なる位置である前記途中位置に対応する所定位置に設けられ、前記窒素含有水の溶存酸素量を測定する手段と、
前記脱窒確認手段が設けられた反応槽の前記所定位置に設けられた溶存酸素測定手段により測定された溶存酸素量に基づいて、前記脱窒確認手段が設けられた反応槽以外の各反応槽の前記所定位置における溶存酸素目標濃度を設定する手段と、
前記脱窒確認手段が設けられた反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給制御手段と、
を備えることを特徴とする窒素含有水の処理装置。
【請求項２】
並列に接続された複数の同一形式の反応槽と、
各反応槽に流入する窒素含有水の流量が同一となるよう制御する流量制御手段と、
各反応槽内において窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段と、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）の所定位置に設けられ、前記第１〜ｎの所定位置において前記硝酸の所望割合が脱窒されているか否かという脱窒状態をそれぞれ確認する脱窒確認手段と、
前記第1〜ｎの所定位置の脱窒確認手段により確認された各脱窒状態に基づいて、前記第1〜ｎの所定位置において前記硝酸が各所望割合で脱窒されるように、前記窒素含有水の流れ方向に沿った、前記第１〜ｎのそれぞれの所定位置より少なくとも上流側を含む、第1〜ｎの所定位置の前記脱窒確認手段に起因する散気手段の制御が行われる各区間における前記散気手段による気体の供給量をそれぞれ制御する第１の気体供給量制御手段と、
各応槽内であって、前記散気手段による散気効果が発現するまでの区間を除く前記第1〜ｎの各所定位置の前記脱窒確認手段に起因する散気手段の制御が行われる各区間における前記第1〜ｎの所定位置とそれぞれ同じ位置か又は異なる位置である前記第1〜ｎの所定位置に対応する第１ａ〜ｎａの各所定位置に設けられ、前記第１ａ〜ｎａの各所定位置において前記窒素含有水の溶存酸素量をそれぞれ測定する手段と、
前記脱窒確認手段が設けられた反応槽の前記第１ａ〜ｎａの各所定位置において測定された溶存酸素量に基づいて、脱窒確認手段が設けられた反応槽以外の他の反応槽の前記第１ａ〜ｎａの各所定位置における溶存酸素目標濃度をそれぞれ設定する手段と、
前記脱窒確認手段が設けられた反応槽以外の他の反応槽の前記第１ａ〜ｎａの各所定位置における溶存酸素の測定値が前記目標濃度と一致するよう、当該反応槽の前記第1〜ｎの所定位置の脱窒確認手段に起因する散気手段の制御が行われる各区間における前記散気手段による気体の供給量をそれぞれ制御する第２の気体供給量制御手段と、
を備えることを特徴とする窒素含有水の処理装置。
【請求項３】
並列に接続された同一形式の複数の各反応槽に流入する窒素含有水の流量が同一となるよう制御する流量制御ステップと、
各反応槽内を流れる窒素含有水に対して硝化反応および脱窒反応による生物処理を行う生物処理ステップと、
各反応槽内の前記窒素含有水の流れに従って前記窒素含有水に含まれるアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置において、前記途中位置において前記硝酸の所望割合が脱窒されているか否かという脱窒状態を確認する脱窒確認ステップと、
前記脱窒確認ステップにおいて確認された前記脱窒状態に基づいて、前記途中位置において前記硝酸の所望割合が脱窒されるように、前記窒素含有水の流れ方向に沿った前記途中位置より少なくとも上流側を含む、前記脱窒確認手段に起因する散気手段の制御が行われる区間における気体の供給量を制御する第１の気体供給量制御ステップと、
各反応槽内であって、前記散気ステップにおける散気により散気効果が発現するまでの区間を除く前記脱窒確認手段に起因する散気手段の制御が行われる区間における前記途中位置と同じ位置か又は異なる位置であり前記途中位置に対応する所定位置において溶存酸素量を測定する溶存酸素測定ステップと、
前記脱窒状態と硝化状態を確認した反応槽における前記所定位置において測定された溶存酸素濃度の測定値に基づいて、前記脱窒状態を確認した反応槽以外の他の反応槽の前記所定位置における溶存酸素目標濃度を設定する溶存酸素目標濃度設定ステップと、
前記脱窒状態と硝化状態を確認した反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給制御ステップと、
を含むことを特徴とする窒素含有水の処理方法。
【請求項４】
並列に接続された同一形式の複数の各反応槽に流入する窒素含有水の流量が同一となるよう制御する流量制御ステップと、
各反応槽内を流れる窒素含有水に対して硝化反応および脱窒反応による生物処理を行う生物処理ステップと、
各反応槽内の前記窒素含有水の流れに従って前記窒素含有水に含まれるアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）の所定位置において、前記第１〜ｎの所定位置において前記硝酸の所望割合が脱窒されているか否かという脱窒状態をそれぞれ確認する脱窒確認ステップと、
前記脱窒確認ステップにおいて確認された各脱窒状態に基づいて、前記第１〜ｎの所定位置において前記硝酸の各所望割合が脱窒されるように、前記窒素含有水の流れ方向に沿った前記第１〜ｎのそれぞれの所定位置より少なくとも上流側を含む、前記脱窒確認手段に起因する散気手段の制御が行われる各区間における気体の供給量をそれぞれ制御する第１の気体供給量制御ステップと、
各反応槽内であって、前記散気ステップにおける散気により散気効果が発現するまでの区間を除く前記脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの各所定位置において溶存酸素量をそれぞれ測定する溶存酸素測定ステップと、
前記脱窒状態を確認した反応槽における前記第１ａ〜ｎａの各所定位置において測定された溶存酸素濃度の測定値に基づいて、前記脱窒状態を確認した反応槽以外の他の反応槽の前記第１ａ〜ｎａの各所定位置における溶存酸素目標濃度をそれぞれ設定する溶存酸素目標濃度設定ステップと、
前記脱窒状態を確認した反応槽以外の他の反応槽の前記第１ａ〜ｎａの各所定位置における溶存酸素の測定値が前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給制御ステップと、
を含むことを特徴とする窒素含有水の処理方法。
【請求項５】
流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置に設けられた、硝酸の所望割合が脱窒されているか否かという脱窒状態を確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記脱窒確認手段に起因する散気手段の制御が行われる区間における前記途中位置と同じ位置か又は異なる位置であり前記途中位置に対応する所定位置に設けられ、前記途中位置に対応する所定位置において前記窒素含有水の溶存酸素量を測定する溶存酸素量測定手段を有する場合における、当該散気手段に対して用いられる散気手段の制御装置であって、
前記脱窒確認手段により確認された前記脱窒状態に基づいて、前記途中位置において前記硝酸の所望割合が脱窒されるように、前記窒素含有水の流れ方向に沿った、前記脱窒確認手段より少なくとも上流側を含む、前記脱窒確認手段に起因する散気手段の制御が行われる区間における前記散気手段による気体の供給量を制御する第１の気体供給量制御手段と、
前記脱窒確認手段及び硝化確認手段が設けられた反応槽の前記途中位置に対応する所定位置において測定された溶存酸素量に基づいて、前記脱窒確認手段が設けられた反応槽以外の他の反応槽の前記途中位置に対応する所定位置における溶存酸素目標濃度をそれぞれ設定する手段と、
前記脱窒確認手段が設けられた反応槽以外の他の反応槽の前記途中位置に対応する所定位置における溶存酸素の測定値が前記目標濃度と一致するよう、当該反応槽の前記脱窒確認手段に起因する散気手段の制御が行われる区間における前記散気手段による気体の供給量を制御する第２の気体供給量制御手段と、
を備えることを特徴とする散気手段の制御装置。  
【請求項６】
流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に接続する最終的に必要な硝化水質を得るための下流側硝化区間との間にいずれか１つは位置する、第１〜ｎ（ｎは２以上の自然数）のそれぞれの所定位置に設けられた、硝酸の各所望割合が脱窒されているか否かという脱窒状態をそれぞれ確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記第１〜ｎの所定位置の脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの各所定位置に設けられ、前記第１ａ〜ｎａの各所定位置において前記窒素含有水の溶存酸素量をそれぞれ測定する溶存酸素量測定手段を有する場合における、当該散気手段に対して用いられる散気手段の制御装置であって、
前記第１〜ｎの所定位置の脱窒確認手段により確認された各脱窒状態に基づいて、前記第１〜ｎのそれぞれの所定位置において前記硝酸の各所望割合が脱窒されるように、前記窒素含有水の流れ方向に沿った、前記第１〜ｎのそれぞれの所定位置より少なくとも上流側を含む、前記第１〜ｎの所定位置の脱窒確認手段に起因する散気手段の制御が行われる各区間における前記散気手段による気体の供給量をそれぞれ制御する第１の気体供給量制御手段と、
前記脱窒確認手段が設けられた反応槽の前記第１ａ〜ｎａの各所定位置において測定されたそれぞれの溶存酸素量に基づいて、前記脱窒確認手段が設けられた反応槽以外の他の反応槽の前記第１ａ〜ｎａの各所定位置における溶存酸素目標濃度を設定する手段と、
前記脱窒確認手段が設けられた反応槽以外の他の反応槽の前記第１ａ〜ｎａの各所定位置における溶存酸素の測定値がそれぞれ前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給量制御手段と、
を備えることを特徴とする散気手段の制御装置。
【請求項７】
流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置に設けられた、硝酸の所望割合が脱窒されているか否かという脱窒状態を確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記脱窒確認手段に起因する散気手段の制御が行われる区間における前記途中位置と同じ位置か又は異なる位置であり前記途中位置に対応する所定位置に設けられ、前記所定位置において前記窒素含有水の溶存酸素量を測定する溶存酸素量測定手段を有する場合における、当該散気手段に対して用いられる散気手段の制御方法であって、
前記脱窒確認手段により確認された前記脱窒状態に基づいて、前記途中位置において前記硝酸の所望割合が脱窒されるように、前記窒素含有水の流れ方向に沿った、前記脱窒確認手段より少なくとも上流側を含む、前記脱窒確認手段に起因する散気手段の制御が行われる区間における前記散気手段による気体の供給量を制御する第１の気体供給量制御ステップと、
前記脱窒確認手段及び硝化確認手段が設けられた反応槽の前記途中位置に対応する所定位置において測定されたそれぞれの溶存酸素量に基づいて、前記脱窒確認手段及が設けられた反応槽以外の他の反応槽の前記所定位置における溶存酸素目標濃度を設定するステップと、
前記脱窒確認手段が設けられた反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給量制御ステップと、
を含むことを特徴とする散気手段の制御方法。
【請求項８】
流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）のそれぞれの所定位置に設けられた、硝酸の各所望割合が脱窒されているか否かという脱窒状態を確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記第１〜ｎの所定位置の脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの所定位置に設けられ、前記第１ａ〜ｎａの各所定位置において前記窒素含有水の溶存酸素量をそれぞれ測定する溶存酸素量測定手段を有する場合における、当該散気手段に対して用いられる散気手段の制御方法であって、
前記第１〜ｎの所定位置の脱窒確認手段により確認された各脱窒状態に基づいて、前記第１〜ｎのそれぞれの所定位置において前記硝酸の各所望割合が脱窒されるように、前記窒素含有水の流れ方向に沿った、前記前記第１〜ｎのそれぞれの所定位置より少なくとも上流側を含む、前記第１〜ｎの所定位置の脱窒確認手段に起因する散気手段の制御が行われる各区間における前記散気手段による気体の供給量をそれぞれ制御する第１の気体供給量制御ステップと、
前記脱窒確認手段が設けられた反応槽の前記第１ａ〜ｎａの各所定位置において測定されたそれぞれの溶存酸素量に基づいて、前記脱窒確認手段が設けられた反応槽以外の他の反応槽の前記第１ａ〜ｎａの各所定位置における溶存酸素目標濃度をそれぞれ設定するステップと、
前記脱窒確認手段及が設けられた反応槽以外の他の反応槽の前記第１ａ〜ｎａの各所定位置における溶存酸素の測定値が前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給量制御ステップと、
を含むことを特徴とする散気手段の制御方法。
【請求項９】
並列に接続された同一形式の複数の各反応槽に流入する窒素含有水の流量が同一となるよう制御する流量制御ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置において、前記途中位置において前記硝酸の所望割合が脱窒されているか否かという脱窒状態を確認する脱窒確認ステップと、
前記脱窒確認ステップにおいて確認された前記脱窒状態に基づいて、前記途中位置において前記硝酸の所望割合が脱窒されるように、前記窒素含有水の流れ方向に沿った前記途中位置より少なくとも上流側を含む、前記脱窒確認手段に起因する散気手段の制御が行われる区間における前記散気手段による気体の供給量を制御する第１の気体供給量制御ステップと、
各反応槽内であって、前記散気ステップにおける散気により散気効果が発現するまでの区間を除く前記脱窒確認手段に起因する散気手段の制御が行われる区間における前記途中位置と同じ位置か又は異なる位置であり前記途中位置に対応する所定位置において溶存酸素量を測定する溶存酸素測定ステップと、
前記脱窒状態を確認した反応槽における前記所定位置において測定された溶存酸素濃度の測定値に基づいて、前記脱窒状態を確認した反応槽以外の他の反応槽の前記所定位置における溶存酸素目標濃度を設定する溶存酸素目標濃度設定ステップと、
前記脱窒状態を確認した反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給制御ステップと、
を含むことを特徴とするプログラムを記録したコンピュータで読み取り可能な記録媒体。
【請求項１０】
並列に接続された同一形式の複数の各反応槽に流入する窒素含有水の流量が同一となるよう制御する流量制御ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）のそれぞれの所定位置において、前記硝酸の各所望割合が脱窒されているか否かという脱窒状態を確認する脱窒確認ステップと、
前記脱窒確認ステップにおいて確認された各脱窒状態に基づいて、前記第１〜ｎの所定位置において前記硝酸の各所望割合が脱窒されるように、前記窒素含有水の流れ方向に沿った前記第１〜ｎのそれぞれの所定位置より少なくとも上流側を含む、前記脱窒確認手段に起因する散気手段の制御が行われる各区間における前記散気手段による気体の供給量をそれぞれ制御する第１の気体供給量制御ステップと、
各反応槽内であって、前記散気ステップにおける散気により散気効果が発現するまでの区間を除く前記脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの各所定位置において溶存酸素量をそれぞれ測定する溶存酸素測定ステップと、
前記脱窒状態を確認した反応槽における前記第１ａ〜ｎａの各所定位置において測定された溶存酸素濃度の測定値に基づいて、前記脱窒状態を確認した反応槽以外の他の反応槽の前記第１ａ〜ｎａの各所定位置における溶存酸素目標濃度をそれぞれ設定する溶存酸素目標濃度設定ステップと、
前記脱窒状態を確認した反応槽以外の他の反応槽の前記第１ａ〜ｎａの各所定位置における溶存酸素の測定値が前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給制御ステップと、
を含むことを特徴とするプログラムを記録したコンピュータで読み取り可能な記録媒体。
【発明の詳細な説明】
【技術分野】
【０００１】
本発明は、好気槽における曝気風量を制御する窒素含有水の処理装置、窒素含有水の処理方法、および窒素含有水の処理システム、並びに制御装置、制御方法、およびプログラムに関する。
背景技術
【０００２】
従来、生活窒素含有水または工場窒素含有水等の下水を処理する下水処理システムとして、標準活性汚泥法によるものや散水ろ床法によるものなど、様々な下水処理システムが実用化されている。
【０００３】
標準活性汚泥法による下水処理システムにおいては、反応槽内に処理対象の下水を流入させつつ、この反応槽内に存在する多種類の好気性微生物に対して酸素を供給する曝気処理を行う。これによって、反応槽内の下水中に含まれる有機物は、好気性微生物の作用によって分解され、安定した処理水質が得られる。
【０００４】
反応槽内での曝気処理においては、曝気を行う散気装置に対して、流入水比例制御や、ＤＯ（溶存酸素）制御またはアンモニア制御（特許文献１参照）が行われる。流入水比例制御は、反応槽の流入側に設置された流量計を用いて、反応槽に流入する流入水量に比例した量の空気を散気装置に供給する制御である。ＤＯ制御は、反応槽の流出側の末端に設置した溶存酸素計（ＤＯ計）を用いて溶存酸素濃度を計測し、この溶存酸素濃度を所定の濃度に維持するように散気装置に空気を供給する制御である。アンモニア制御は、反応槽の流出側の末端に設置したアンモニア計を用いて、反応槽の末端におけるアンモニア性窒素（ＮＨ４−Ｎ）を所定の濃度に維持するように散気装置に空気を供給する制御である。
【０００５】
しかしながら、上述した各種制御においては、次のような問題があった。
すなわち、流入水比例制御においては、窒素を含有する流入水の有機物負荷やアンモニア負荷が変わって水質が変動するため、流入水量に比例させて空気量を制御すると、空気量の過不足が生じてしまう。また、ＤＯ制御においては、窒素を含有する流入水の有機物負荷やアンモニア負荷が変化し、これらの負荷が低下した時には空気量が過剰になりやすく、反対に、負荷が上昇した時には空気量が不足しやすくなる。さらに、アンモニア制御においては、窒素を含有する流入水のアンモニア負荷に応じて適切な量の空気を散気装置に供給できる反面、アンモニア制御を行う前段階での脱窒処理の制御を行うことが困難であった。
【０００６】
本発明者らは、上記課題を解決するために、反応槽内において窒素含有水の流れに従って窒素含有水が含有するアンモニアが硝酸に硝化され、窒素含有水の流れ方向に沿った各位置で硝酸の各所望割合が脱窒されるように窒素含有水に対して流れ方向の略全域に亘って気体を供給する散気手段と、窒素含有水の流れ方向における第１の所定位置に設けられ、第１の所定位置で生じた硝酸の所望割合が脱窒されているか否かを確認する脱窒確認手段と、窒素含有水の流れ方向に沿った脱窒確認手段の下流側の第２の所定位置に設けられ、アンモニアの所望割合が硝化されているか否かを確認する硝化確認手段と、脱窒確認手段により確認された第１の所定位置で硝化されて生じた硝酸の割合に応じて、硝酸の所望割合が脱窒されるように、窒素含有水の流れ方向に沿って脱窒確認手段より少なくとも上流側における散気手段による気体の供給量を制御するとともに、硝化確認手段により確認された第２の所定位置におけるアンモニアの割合に応じて、アンモニアの所望割合が硝化されるように、窒素含有水の流れ方向に沿って硝化確認手段より少なくとも上流側における散気手段からの気体の供給量を制御する気体供給量制御手段と、を備える窒素含有水の処理装置及び処理方法を提案した(特許文献２，３)。
【０００７】
上記の窒素含有水の処理装置及び処理方法によれば、曝気を行う反応槽に流入する窒素含有水の負荷に応じて気体供給量（曝気量）を適切に制御することによって、反応槽に適正量の酸素を供給することができるとともに、脱窒処理および硝化処理を適切に制御することができ、窒素除去率を向上させて処理水質を改善させることができる。
【０００８】
しかしながら、種々の事情で窒素を含有する下水の処理施設では、同一形式の複数の反応槽を並列に接続して使用することが多く、このような施設において、上記の処理を実施する場合、各反応槽に散気手段とともに、脱窒確認手段及び硝化確認手段を設ける必要があった。ここで、脱窒確認手段及び硝化確認手段として使用されるアンモニア検出器や硝酸検出器は高価なので、設備の初期投資やメンテナンスがコスト高となってしまうという問題があった。
【０００９】
そこで、高価なアンモニア検出器や硝酸検出器の代わりに、比較的安価な溶存酸素計（ＤＯ計）を使用することが考えられるが、溶存酸素計では、直接アンモニアや硝酸を検出するわけではないので、高精度で、爆気手段を制御することができず、過爆気が生じたり、所望の水質を高い信頼性で達成することが困難という問題があった。
【先行技術文献】
【特許文献】
【００１０】
【特許文献１】特開２００５−１９９１１６号公報
【特許文献２】特願２０１２−０５３７８２号
【特許文献３】特願２０１２−０５３７８４号
【発明の概要】
【発明が解決しようとする課題】
【００１１】
本発明者は、アンモニア検出器や硝酸検出器を使用して、適切な脱窒及び硝化が行われるよう爆気手段を制御した場合、当該反応槽内の溶存酸素量は特定の分布となることに注目し、本発明に至ったものである。
【課題を解決するための手段】
【００１２】
本件発明の窒素含有水の処理装置は、以下のとおりである。
（１）並列に接続された同一形式の複数の反応槽と、
各反応槽に流入する窒素含有水の流量が同一となるよう制御する流量制御手段と、
各反応槽内において窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段と、
前記複数の反応槽のいずれか１つの反応槽において、前記窒素含有水の流れ方向に沿った、最低限必要な脱窒窒素量を得るための上流側脱窒区間と、前記上流側脱窒区間の下流側に接続する最終的に必要な硝化水質を得るための下流側硝化区間との間である、途中位置に設けられ、前記途中位置において前記硝酸の所望割合が脱窒されているか否かという脱窒状態を確認する脱窒確認手段と、
前記脱窒確認手段により確認された前記脱窒状態に基づいて、前記途中位置において前記硝酸の所望割合が脱窒されるように、前記窒素含有水の流れ方向に沿った、前記脱窒確認手段より少なくとも上流側を含む、前記脱窒確認手段に起因する散気手段の制御が行われる区間における前記散気手段による気体の供給量を制御する第１の気体供給量制御手段と、
各反応槽内であって、前記散気手段による散気効果が発現するまでの区間を除く前記脱窒確認手段に起因する散気手段の制御が行われる区間における前記途中位置と同じ位置又は異なる位置である前記途中位置に対応する所定位置に設けられ、前記窒素含有水の溶存酸素量を測定する手段と、
前記脱窒確認手段が設けられた反応槽の前記所定位置に設けられた溶存酸素測定手段により測定された溶存酸素量に基づいて、前記脱窒確認手段が設けられた反応槽以外の各反応槽の前記所定位置における溶存酸素目標濃度を設定する手段と、
前記脱窒確認手段が設けられた反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給制御手段と、
を備えることを特徴とする。
【００１３】
（２）並列に接続された複数の同一形式の反応槽と、
各反応槽に流入する窒素含有水の流量が同一となるよう制御する流量制御手段と、
各反応槽内において窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段と、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）の所定位置に設けられ、前記第１〜ｎの所定位置において前記硝酸の所望割合が脱窒されているか否かという脱窒状態をそれぞれ確認する脱窒確認手段と、
前記第1〜ｎの所定位置の脱窒確認手段により確認された各脱窒状態に基づいて、前記第1〜ｎの所定位置において前記硝酸が各所望割合で脱窒されるように、前記窒素含有水の流れ方向に沿った、前記第１〜ｎのそれぞれの所定位置より少なくとも上流側を含む、第1〜ｎの所定位置の前記脱窒確認手段に起因する散気手段の制御が行われる各区間における前記散気手段による気体の供給量をそれぞれ制御する第１の気体供給量制御手段と、
各応槽内であって、前記散気手段による散気効果が発現するまでの区間を除く前記第1〜ｎの各所定位置の前記脱窒確認手段に起因する散気手段の制御が行われる各区間における前記第1〜ｎの所定位置とそれぞれ同じ位置か又は異なる位置である前記第1〜ｎの所定位置に対応する第１ａ〜ｎａの各所定位置に設けられ、前記第１ａ〜ｎａの各所定位置において前記窒素含有水の溶存酸素量をそれぞれ測定する手段と、
前記脱窒確認手段が設けられた反応槽の前記第１ａ〜ｎａの各所定位置において測定された溶存酸素量に基づいて、脱窒確認手段が設けられた反応槽以外の他の反応槽の前記第１ａ〜ｎａの各所定位置における溶存酸素目標濃度をそれぞれ設定する手段と、
前記脱窒確認手段が設けられた反応槽以外の他の反応槽の前記第１ａ〜ｎａの各所定位置における溶存酸素の測定値が前記目標濃度と一致するよう、当該反応槽の前記第1〜ｎの所定位置の脱窒確認手段に起因する散気手段の制御が行われる各区間における前記散気手段による気体の供給量をそれぞれ制御する第２の気体供給量制御手段と、
を備えることを特徴とする。
【００１４】
本発明において、「上流側脱窒区間」とは、（１）反応槽内では上流側から下流側に向かって窒素含有水に含まれる溶存酸素量が徐々にリッチになっていく環境状態になっており、このような環境状態を前提条件とすれば、窒素含有水の流れ方向における途中位置で硝酸の所望割合が脱窒されていることを確認できれば、当該途中位置より上流側では硝酸の所望割合が脱窒されている区間が連続的に確保できていると推定できること、（２）当該途中位置より上流側における、硝酸の所望割合が脱窒されている連続区間の長さが長くなるに追従して当該途中位置までに脱窒されることとなる脱窒窒素量が増大する関係にあること、（３）及び、一度硝酸の所望割合が脱窒されることにより大気中に放散されることとなった窒素分子は再度窒素含有水中に戻ることはないことに鑑みて定められる、窒素含有水の流れ方向に沿った、反応槽における区間であって、当該区間の直後位置に設置した脱窒確認手段によって確認された脱窒状態に基づいて当該設置位置よりも上流側における所望の脱窒状態が維持されるよう散気手段による気体の供給量を制御した場合に、最低限必要な脱窒窒素量が得られることとなる、区間(図１Ａにおける８１)をいう。以上説明したように「上流側脱窒区間」とは、脱窒確認手段により脱窒状態を確認する区間のことであり、この区間でも硝化反応は生じている。
【００１５】
また、「下流側硝化区間」とは、窒素含有水の流れ方向に沿った、反応槽における区間であって、当該区間の直前位置に設置した脱窒確認手段によって確認された脱窒状態に基づいて当該設置位置よりも上流側における所望の脱窒状態が維持されるよう散気手段による気体の供給量を制御した場合に、上流側から下流側に向かって窒素含有水に含まれる溶存酸素量が徐々にリッチになっていく反応槽内における環境状態と相俟って、最終的に必要な硝化水質が得られることが見込まれることとなる、区間(図１Ａにおける８２)をいう。以上説明したように「下流側硝化区間」とは、硝化確認手段により硝化状態を確認する区間のことであり、この区間でも脱窒反応は生じている。
【００１６】
本発明において、「散気により散気効果が発現するまでの区間」とは、使用する計器類の測定誤差を加味し、曝気手段から曝気した時に測定値に有意な変化が生じない区間(図１Ａにおける８３)で、このような区間で測定しても求められる精度での制御は不可能だからである。
【００１７】
また、本発明において「脱窒確認手段に起因する散気手段の制御が行われる区間(図１Ａにおける８４)とは、脱窒確認手段により制御が行われる散気手段が配置されている区間をいい、「硝化確認手段に起因する散気手段の制御が行われる区間」とは、硝化確認手段により制御が行われる散気手段が配置されている区間(図１Ａにおける８５)をいう。
【００１８】
本発明に係る窒素含有水の処理装置は、上記の発明において、散気手段が、時間の経過または窒素含有水の流れ方向に従って、硝化反応が行われる領域と脱窒反応が行われる領域とを、順次、交互、または繰り返し形成させるように気体を供給可能に構成されていることを特徴とする。
【００１９】
本発明に係る窒素含有水の処理装置は、上記の発明において、気体供給量制御手段が、硝化反応により硝化されて生じた硝酸に対する所望割合の脱窒が脱窒確認手段によって確認できない場合に、窒素含有水の流れ方向に沿って脱窒確認手段より少なくとも上流側における散気手段による気体の供給量を増減制御すること、あるいは気体供給量制御手段が、窒素含有水の流れ方向に沿った第１の所定位置から第ｎの所定位置の各所定位置のうちで、第１の所定位置において硝酸に対する所望割合の脱窒が脱窒確認手段によって確認できない場合に、窒素含有水の流れ方向に沿った第１の所定位置より少なくとも上流側における散気手段による気体の供給量を増減制御し、第ｉの所定位置（ｉ：２以上ｎ以下の自然数）において硝酸に対する所望割合の脱窒が脱窒確認手段によって確認できない場合に、少なくとも第ｉの所定位置と第（ｉ−１）の所定位置との間における散気手段による気体の供給量を増減制御することを特徴とする。
【００２０】
本発明に係る窒素含有水の処理装置は、上記の発明において、脱窒確認手段が硝酸濃度を測定可能に構成された硝酸濃度測定手段であるとともに、硝酸の所望割合が脱窒されているか否かの確認を、硝酸濃度を測定することにより行い、気体供給量制御手段は、第１の所定位置から第ｎの所定位置までの各所定位置において硝酸濃度測定手段によって測定された硝酸濃度が各所定位置によって設定された所定範囲内になるように、窒素含有水の流れ方向に沿った、第１の所定位置より上流側の散気手段および第ｉの所定位置（ｉ：２以上ｎ以下の自然数）と第（ｉ−１）の所定位置との間における散気手段から選択された少なくとも１つの散気手段からの気体の供給量を制御することを特徴とする。
【００２１】
本発明に係る窒素含有水の処理装置は、上記の発明において、脱窒確認手段がアンモニア性窒素を測定可能に構成されたアンモニア性窒素測定手段であるとともに、アンモニア性窒素の所望割合が脱窒されているか否かの確認を、アンモニア性窒素濃度を測定することにより行い、気体供給量制御手段は、アンモニア性窒素測定手段によって測定された硝酸濃度が所定範囲内になるように、少なくとも窒素含有水の流れ方向に沿ったアンモニア性窒素測定手段より上流側における散気手段からの気体の供給量を制御することを特徴とする。
【００２２】
また、本発明に係る窒素含有水の処理装置は、上記の発明において、硝酸濃度測定手段が第１の所定位置に設置される第１の硝酸計から第ｎの所定位置に設置される第ｎの硝酸計（ｎ：２以上の自然数）の複数の硝酸計から構成されることを特徴とする。
さらに、本発明に係る窒素含有水の処理装置は、上記の発明において、硝酸濃度測定手段が、少なくとも１つの硝酸計から構成され、第１の所定位置における窒素含有水の硝酸濃度の計測から、第ｎの所定位置における窒素含有水の硝酸濃度の計測までを選択的に切り替えて実行することを特徴とする。
【００２３】
本発明に係る窒素含有水の処理装置は、上記の発明において、気体供給量制御手段が、窒素含有水の流れ方向に沿って脱窒確認手段、あるいは反応槽における第１の所定位置より少なくとも上流側において、散気手段を、散気手段からの気体供給量が略一様になるように制御することを特徴とする。
【００２４】
本発明に係る窒素含有水の処理装置は、気体供給量制御手段が、窒素含有水の流れ方向に沿った全域において、あるいは、反応槽における第１の所定位置より上流側において散気手段からの気体の供給量が略一様になるように制御することを特徴とする。
【００２５】
本発明に係る窒素含有水の処理装置は、上記の発明において、反応槽の前段に嫌気槽が設けられていることを特徴とする。
【００２６】
また、本件発明の窒素含有水の処理方法は、以下のとおりである。
（３）並列に接続された同一形式の複数の各反応槽に流入する窒素含有水の流量が同一となるよう制御する流量制御ステップと、
各反応槽内を流れる窒素含有水に対して硝化反応および脱窒反応による生物処理を行う生物処理ステップと、
各反応槽内の前記窒素含有水の流れに従って前記窒素含有水に含まれるアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置において、前記途中位置において前記硝酸の所望割合が脱窒されているか否かという脱窒状態を確認する脱窒確認ステップと、
前記脱窒確認ステップにおいて確認された前記脱窒状態に基づいて、前記途中位置において前記硝酸の所望割合が脱窒されるように、前記窒素含有水の流れ方向に沿った前記途中位置より少なくとも上流側を含む、前記脱窒確認手段に起因する散気手段の制御が行われる区間における気体の供給量を制御する第１の気体供給量制御ステップと、
各反応槽内であって、前記散気ステップにおける散気により散気効果が発現するまでの区間を除く前記脱窒確認手段に起因する散気手段の制御が行われる区間における前記途中位置と同じ位置か又は異なる位置であり前記途中位置に対応する所定位置において溶存酸素量を測定する溶存酸素測定ステップと、
前記脱窒状態と硝化状態を確認した反応槽における前記所定位置において測定された溶存酸素濃度の測定値に基づいて、前記脱窒状態を確認した反応槽以外の他の反応槽の前記所定位置における溶存酸素目標濃度を設定する溶存酸素目標濃度設定ステップと、
前記脱窒状態と硝化状態を確認した反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給制御ステップと、
を含むことを特徴とする。
【００２７】
（４）並列に接続された同一形式の複数の各反応槽に流入する窒素含有水の流量が同一となるよう制御する流量制御ステップと、
各反応槽内を流れる窒素含有水に対して硝化反応および脱窒反応による生物処理を行う生物処理ステップと、
各反応槽内の前記窒素含有水の流れに従って前記窒素含有水に含まれるアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）の所定位置において、前記第１〜ｎの所定位置において前記硝酸の所望割合が脱窒されているか否かという脱窒状態をそれぞれ確認する脱窒確認ステップと、
前記脱窒確認ステップにおいて確認された各脱窒状態に基づいて、前記第１〜ｎの所定位置において前記硝酸の各所望割合が脱窒されるように、前記窒素含有水の流れ方向に沿った前記第１〜ｎのそれぞれの所定位置より少なくとも上流側を含む、前記脱窒確認手段に起因する散気手段の制御が行われる各区間における気体の供給量をそれぞれ制御する第１の気体供給量制御ステップと、
各反応槽内であって、前記散気ステップにおける散気により散気効果が発現するまでの区間を除く前記脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの各所定位置において溶存酸素量をそれぞれ測定する溶存酸素測定ステップと、
前記脱窒状態を確認した反応槽における前記第１ａ〜ｎａの各所定位置において測定された溶存酸素濃度の測定値に基づいて、前記脱窒状態を確認した反応槽以外の他の反応槽の前記第１ａ〜ｎａの各所定位置における溶存酸素目標濃度をそれぞれ設定する溶存酸素目標濃度設定ステップと、
前記脱窒状態を確認した反応槽以外の他の反応槽の前記第１ａ〜ｎａの各所定位置における溶存酸素の測定値が前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給制御ステップと、
を含むことを特徴とする。
【００２８】
本発明に係る窒素含有水の処理方法は、上記の発明において、時間の経過または窒素含有水の流れ方向に従って、硝化反応が行われる領域と脱窒反応が行われる領域とを、順次、交互、または繰り返し形成させるように窒素含有水に気体を供給することを特徴とする。
【００２９】
本発明に係る窒素含有水の処理方法は、上記の発明において、脱窒確認ステップにおいて確認される硝酸の割合が所定位置における硝酸濃度であり、気体供給量制御ステップにおいて、脱窒確認ステップで測定された硝酸濃度が所定範囲に収まる方向に、所定位置より窒素含有水の流れ方向に沿った少なくとも上流側における気体の供給量を制御することを特徴とする。
【００３０】
本発明に係る窒素含有水の処理方法は、上記の発明において、脱窒確認ステップにおいて確認される硝酸の割合が第１の所定位置から第ｎの所定位置の各所定位置における硝酸濃度であり、気体供給量制御ステップにおいて、脱窒確認ステップで測定された第１の所定位置における硝酸濃度が所定範囲に収まる方向に、第１の所定位置より窒素含有水の流れ方向に沿った少なくとも上流側における気体の供給量を制御するとともに、脱窒確認ステップで測定された第ｉの所定位置（ｉ：２以上ｎ以下の自然数）における硝酸濃度が所定範囲に収まる方向に、少なくとも第ｉの所定位置と第（ｉ−１）の所定位置との間における窒素含有水への気体の供給量を制御することを特徴とすることを特徴とする。
【００３１】
また、本発明に係る散気手段の制御装置は、以下のとおりである。
（５）流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置に設けられた、硝酸の所望割合が脱窒されているか否かという脱窒状態を確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記脱窒確認手段に起因する散気手段の制御が行われる区間における前記途中位置と同じ位置か又は異なる位置であり前記途中位置に対応する所定位置に設けられ、前記途中位置に対応する所定位置において前記窒素含有水の溶存酸素量を測定する溶存酸素量測定手段を有する場合における、当該散気手段に対して用いられる散気手段の制御装置であって、
前記脱窒確認手段により確認された前記脱窒状態に基づいて、前記途中位置において前記硝酸の所望割合が脱窒されるように、前記窒素含有水の流れ方向に沿った、前記脱窒確認手段より少なくとも上流側を含む、前記脱窒確認手段に起因する散気手段の制御が行われる区間における前記散気手段による気体の供給量を制御する第１の気体供給量制御手段と、
前記脱窒確認手段及び硝化確認手段が設けられた反応槽の前記途中位置に対応する所定位置において測定された溶存酸素量に基づいて、前記脱窒確認手段が設けられた反応槽以外の他の反応槽の前記途中位置に対応する所定位置における溶存酸素目標濃度をそれぞれ設定する手段と、
前記脱窒確認手段が設けられた反応槽以外の他の反応槽の前記途中位置に対応する所定位置における溶存酸素の測定値が前記目標濃度と一致するよう、当該反応槽の前記脱窒確認手段に起因する散気手段の制御が行われる区間における前記散気手段による気体の供給量を制御する第２の気体供給量制御手段と、
を備えることを特徴とする。
【００３２】
（６）流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に接続する最終的に必要な硝化水質を得るための下流側硝化区間との間にいずれか１つは位置する、第１〜ｎ（ｎは２以上の自然数）のそれぞれの所定位置に設けられた、硝酸の各所望割合が脱窒されているか否かという脱窒状態をそれぞれ確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記第１〜ｎの所定位置の脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの各所定位置に設けられ、前記第１ａ〜ｎａの各所定位置において前記窒素含有水の溶存酸素量をそれぞれ測定する溶存酸素量測定手段を有する場合における、当該散気手段に対して用いられる散気手段の制御装置であって、
前記第１〜ｎの所定位置の脱窒確認手段により確認された各脱窒状態に基づいて、前記第１〜ｎのそれぞれの所定位置において前記硝酸の各所望割合が脱窒されるように、前記窒素含有水の流れ方向に沿った、前記第１〜ｎのそれぞれの所定位置より少なくとも上流側を含む、前記第１〜ｎの所定位置の脱窒確認手段に起因する散気手段の制御が行われる各区間における前記散気手段による気体の供給量をそれぞれ制御する第１の気体供給量制御手段と、
前記脱窒確認手段が設けられた反応槽の前記第１ａ〜ｎａの各所定位置において測定されたそれぞれの溶存酸素量に基づいて、前記脱窒確認手段が設けられた反応槽以外の他の反応槽の前記第１ａ〜ｎａの各所定位置における溶存酸素目標濃度を設定する手段と、
前記脱窒確認手段が設けられた反応槽以外の他の反応槽の前記第１ａ〜ｎａの各所定位置における溶存酸素の測定値がそれぞれ前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給量制御手段と、
を備えることを特徴とする。
【００３３】
また、本発明に係る制御方法は、以下のとおりである。
（７）流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置に設けられた、硝酸の所望割合が脱窒されているか否かという脱窒状態を確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記脱窒確認手段に起因する散気手段の制御が行われる区間における前記途中位置と同じ位置か又は異なる位置であり前記途中位置に対応する所定位置に設けられ、前記所定位置において前記窒素含有水の溶存酸素量を測定する溶存酸素量測定手段を有する場合における、当該散気手段に対して用いられる散気手段の制御方法であって、
前記脱窒確認手段により確認された前記脱窒状態に基づいて、前記途中位置において前記硝酸の所望割合が脱窒されるように、前記窒素含有水の流れ方向に沿った、前記脱窒確認手段より少なくとも上流側を含む、前記脱窒確認手段に起因する散気手段の制御が行われる区間における前記散気手段による気体の供給量を制御する第１の気体供給量制御ステップと、
前記脱窒確認手段及び硝化確認手段が設けられた反応槽の前記途中位置に対応する所定位置において測定されたそれぞれの溶存酸素量に基づいて、前記脱窒確認手段及が設けられた反応槽以外の他の反応槽の前記所定位置における溶存酸素目標濃度を設定するステップと、
前記脱窒確認手段が設けられた反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給量制御ステップと、
を含むことを特徴とする。
【００３４】
（８）流入する窒素含有水の流量が同一となるよう制御された、並列に接続された同一形式の複数の反応槽のうち、いずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）のそれぞれの所定位置に設けられた、硝酸の各所望割合が脱窒されているか否かという脱窒状態を確認する脱窒確認手段を有し、各反応槽において、窒素含有水の流れに従って前記窒素含有水が含有するアンモニアが硝酸に硝化され、前記窒素含有水の流れ方向に沿った各位置で硝酸の各所望割合が脱窒されるように前記窒素含有水に対して前記流れ方向の略全域に亘って気体を供給する散気手段、並びに、前記散気手段による散気効果が発現するまでの区間を除く前記第１〜ｎの所定位置の脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの所定位置に設けられ、前記第１ａ〜ｎａの各所定位置において前記窒素含有水の溶存酸素量をそれぞれ測定する溶存酸素量測定手段を有する場合における、当該散気手段に対して用いられる散気手段の制御方法であって、
前記第１〜ｎの所定位置の脱窒確認手段により確認された各脱窒状態に基づいて、前記第１〜ｎのそれぞれの所定位置において前記硝酸の各所望割合が脱窒されるように、前記窒素含有水の流れ方向に沿った、前記前記第１〜ｎのそれぞれの所定位置より少なくとも上流側を含む、前記第１〜ｎの所定位置の脱窒確認手段に起因する散気手段の制御が行われる各区間における前記散気手段による気体の供給量をそれぞれ制御する第１の気体供給量制御ステップと、
前記脱窒確認手段が設けられた反応槽の前記第１ａ〜ｎａの各所定位置において測定されたそれぞれの溶存酸素量に基づいて、前記脱窒確認手段が設けられた反応槽以外の他の反応槽の前記第１ａ〜ｎａの各所定位置における溶存酸素目標濃度をそれぞれ設定するステップと、
前記脱窒確認手段及が設けられた反応槽以外の他の反応槽の前記第１ａ〜ｎａの各所定位置における溶存酸素の測定値が前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給量制御ステップと、
を含むことを特徴とする。
【００３５】
さらに、本発明に係るプログラムは、以下のとおり。
（９）並列に接続された同一形式の複数の各反応槽に流入する窒素含有水の流量が同一となるよう制御する流量制御ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間である、途中位置において、前記途中位置において前記硝酸の所望割合が脱窒されているか否かという脱窒状態を確認する脱窒確認ステップと、
前記脱窒確認ステップにおいて確認された前記脱窒状態に基づいて、前記途中位置において前記硝酸の所望割合が脱窒されるように、前記窒素含有水の流れ方向に沿った前記途中位置より少なくとも上流側を含む、前記脱窒確認手段に起因する散気手段の制御が行われる区間における前記散気手段による気体の供給量を制御する第１の気体供給量制御ステップと、
各反応槽内であって、前記散気ステップにおける散気により散気効果が発現するまでの区間を除く前記脱窒確認手段に起因する散気手段の制御が行われる区間における前記途中位置と同じ位置か又は異なる位置であり前記途中位置に対応する所定位置において溶存酸素量を測定する溶存酸素測定ステップと、
前記脱窒状態を確認した反応槽における前記所定位置において測定された溶存酸素濃度の測定値に基づいて、前記脱窒状態を確認した反応槽以外の他の反応槽の前記所定位置における溶存酸素目標濃度を設定する溶存酸素目標濃度設定ステップと、
前記脱窒状態を確認した反応槽以外の他の反応槽の前記所定位置における溶存酸素の測定値が前記目標濃度と一致するよう、当該反応槽の前記脱窒確認手段に起因する散気手段の制御が行われる区間における前記散気手段による気体の供給量を制御する第２の気体供給制御ステップと、
を含むことを特徴とする。
【００３６】
（１０）並列に接続された同一形式の複数の各反応槽に流入する窒素含有水の流量が同一となるよう制御する流量制御ステップと、
前記複数の反応槽のいずれか１つの反応槽において、前記窒素含有水の流れ方向に沿った、最低限必要な脱窒窒素量を得るための上流側脱窒区間と、前記上流側脱窒区間の下流側に後続する最終的に必要な硝化水質を得るための下流側硝化区間との間にいずれか１つは位置する、第１〜ｎ（ｎは２以上の自然数）のそれぞれの所定位置において、前記硝酸の各所望割合が脱窒されているか否かという脱窒状態を確認する脱窒確認ステップと、
前記脱窒確認ステップにおいて確認された各脱窒状態に基づいて、前記第１〜ｎの所定位置において前記硝酸の各所望割合が脱窒されるように、前記窒素含有水の流れ方向に沿った前記第１〜ｎのそれぞれの所定位置より少なくとも上流側を含む、前記脱窒確認手段に起因する散気手段の制御が行われる各区間における前記散気手段による気体の供給量をそれぞれ制御する第１の気体供給量制御ステップと、
各反応槽内であって、前記散気ステップにおける散気により散気効果が発現するまでの区間を除く前記脱窒確認手段に起因する散気手段の制御が行われる各区間における前記第１〜ｎの所定位置とそれぞれ同じ位置か又は異なる位置であり前記第１〜ｎの所定位置に対応する第１ａ〜ｎａの各所定位置において溶存酸素量をそれぞれ測定する溶存酸素測定ステップと、
前記脱窒状態を確認した反応槽における前記第１ａ〜ｎａの各所定位置において測定された溶存酸素濃度の測定値に基づいて、前記脱窒状態を確認した反応槽以外の他の反応槽の前記第１ａ〜ｎａの各所定位置における溶存酸素目標濃度をそれぞれ設定する溶存酸素目標濃度設定ステップと、
前記脱窒状態を確認した反応槽以外の他の反応槽の前記第１ａ〜ｎａの各所定位置における溶存酸素の測定値が前記目標濃度と一致するよう、当該反応槽の前記第１〜ｎの所定位置の脱窒確認手段に起因する散気手段の制御が行われる各区間における前記散気手段による気体の供給量をそれぞれ制御する第２の気体供給制御ステップと、
を含むことを特徴とする。
【発明の効果】
【００３７】
本発明の窒素含有水の処理装置及び処理方法によれば、同一形式の複数の反応槽を並列に接続して使用する窒素含有水の処理施設において、アンモニア検出器や硝酸検出器を使用した脱窒確認手段によって、適切な脱窒が行われるよう曝気手段を制御した反応槽における溶存酸素量分布に基づいて、脱窒確認手段が設けられた反応槽以外の他の反応槽の溶存酸素量を制御するので、他の反応槽においても、脱窒確認手段によって曝気手段を制御した反応槽と同程度な精度で曝気手段を制御することができ、しかも検出器として安価なＤＯ計が使用できる
【図面の簡単な説明】
【００３８】
【図１Ａ】図１Ａは、本発明の複数の反応槽を並列の接続した窒素含有水処理装置を示す全体の構成図である。
【図１Ｂ】図１Ｂは、本発明の複数の反応槽のいずれか１つの反応槽２Ａを含む第１の実施形態による窒素含有水処理装置を示す構成図である。
【図２Ａ】図２Ａは、本発明の第１の実施形態による窒素含有水処理装置における反応槽２Ａを示す平面図である。
【図２Ｂ】図２Ｂは、本発明の第１の実施形態による窒素含有水処理装置における反応槽２Ａの他の変形例を示す平面図である。
【図３Ａ】図３Ａは、硝化計が一つの場合の反応槽内の被処理水の流れに沿って測定した、ＮＨ４−Ｎ、ＮＯ２−Ｎ、およびＮＯ３−Ｎのそれぞれの窒素濃度、および全窒素濃度を示すグラフである。
【図３Ｂ】図３Ｂは、硝化計が複数の場合の反応槽内の被処理水の流れに沿って測定した、ＮＨ４−Ｎ、ＮＯ２−Ｎ、およびＮＯ３−Ｎのそれぞれの窒素濃度、および全窒素濃度を示すグラフである。
【図４Ａ】図４Ａは、本発明の硝化計が一つの場合の第１の実施形態による窒素含有水の処理方法を示すフローチャートである。
【図４Ｂ】図４Ｂは、本発明の硝化計が複数の場合の第１の実施形態による窒素含有水の処理方法を示すフローチャートである。
【図５】図５は、本発明の第２の実施形態による窒素含有水処理装置を示す構成図である。
【図６】図６は、本発明の硝酸計が複数の場合の第３の実施形態による窒素含有水処理装置を示す構成図である。
【図７】図７は、本発明の硝酸計が複数の場合の第４の実施形態による窒素含有水処理装置を示す構成図である。
【図８】図８は、本発明の第５の実施形態による反応槽を示す斜視透視図である。
【図９Ａ】図９Ａは、図８に示す反応槽におけるＡ−Ａ線に沿った断面図である。
【図９Ｂ】図９Ｂは、図８に示す反応槽におけるＢ−Ｂ線に沿った断面図である。
【図１０】図１０は、本発明の硝酸計が複数の場合の第６の実施形態による窒素含有水処理装置を示す構成図である。
【図１１Ａ】図１１Ａは、本発明の実施形態による反応槽の他の変形例を示す構成図である。
【図１１Ｂ】図１１Ｂは、本発明の実施形態による反応槽の他の変形例を示す構成図である。
【図１１Ｃ】図１１Ｃは、本発明の実施形態による反応槽の他の変形例を示す構成図である。
【図１１Ｄ】図１１Ｄは、図８Ｃに示す反応槽における散気部の時間経過に伴う曝気のタイミングを示すタイミング図である。
【図１１Ｅ】図１１Ｅは、本発明の実施形態による反応槽の他の変形例を示す構成図である。
【図１１Ｆ】図１１Ｆは、図１１Ｅに示す反応槽に浮遊させる微生物を担持した担体の断面模式図である。
【図１２Ａ】図１２Ａは、図５に示す窒素含有水処理装置においてアンモニア計を設置した場合を示す構成図である。
【図１２Ｂ】図１２Ｂは、目標硝化速度および測定硝化速度を説明するための反応槽内の被処理水の流れに沿って測定した、ＮＨ４−Ｎ、ＮＯ２−Ｎ、およびＮＯ３−Ｎのそれぞれの窒素濃度、および全窒素濃度を示すグラフである。
【発明を実施するための形態】
【００３９】
以下、本発明の実施形態について図面を参照しつつ説明する。なお、以下の実施形態の全図においては、同一または対応する部分には同一の符号を付す。また、本発明は以下に説明する実施形態によって限定されるものではない。
【００４０】
（第１の実施形態）
（窒素含有水処理装置の構成）
まず、本発明の第１の実施形態による制御装置を含む窒素含有水の処理装置の構成について説明する。図１Ａは、窒素含有水処理装置の概略を示す模式図である。図１Ａに示すように、本発明の窒素含有水の処理装置は、複数の同一形式の窒素含有水の反応槽（２Ａ，２Ｂ，２Ｃ・・・）を含む処理装置が並列に接続されており、各処理装置には流量調節手段６１により窒素含有水が同一の流量で供給される。流量調節手段６１は、流量計、流量調節弁などからなる。本発明において、同一形式の反応槽とは、曝気手段を含め窒素含有水の処理構成が同一である反応槽をいう。
【００４１】
（第１の実施形態）
（窒素含有水処理装置の構成：複数の反応槽におけるいずれか１つの反応槽）
図１Ｂは、本発明の第１の実施形態である窒素含有水処理装置の構成を示す模式図である。図１Ｂに示すように、本発明の複数の反応槽のうちいずれか１つの反応槽２Ａの構成を示す模式図である。図１Ｂに示すように、本発明の複数の反応槽のうちいずれか１つの反応槽２Ａを含む第１の実施形態である窒素含有水処理装置は、最初沈殿池１、順次連通した複数段の好気槽２ａ，２ｂ，２ｃ，２ｄ（第１槽〜第４槽）からなる反応槽２Ａ、固液分離槽３、汚泥返送経路５、および制御部９を備える。なお、最初沈殿池１、固液分離槽３は、各反応槽（２Ａ、２Ｂ、・・・）に対し共通とし、最初沈殿池１で処理された窒素含有水を各反応槽に分配するようにしたり、各反応槽（２Ａ、２Ｂ、・・・）からの処理済水をまとめて固液分離することもできる。 
【００４２】
最初沈殿池１には、窒素含有原水（以下、原水）が流入する。最初沈殿池１においては、原水を緩やかに流水させて、比較的粒子の小さいゴミなどを沈殿させる。
【００４３】
反応槽２Ａには、最初沈殿池１から流出した窒素含有水である被処理水が流入する。この反応槽２Ａを構成する複数段の好気槽２ａ〜２ｄは、被処理水のれ方向に沿って配列されている。ここで、反応槽２Ａにおける被処理水の流入側においては、ＢＯＤ酸化領域が生じている場合もある。そして、好気槽２ａ〜２ｄはそれぞれ、散気手段としての散気部６ａ，６ｂ，６ｃ，６ｄを備える。散気部６ａ〜６ｄは、ブロア８が供給する空気などの気体を用いて、それぞれの好気槽２ａ〜２ｄ内に散気を行い、貯留されている活性汚泥を曝気する。それぞれの好気槽２ａ〜２ｄにおいては、主に、好気条件下で被処理水中に含まれるアンモニア性窒素が亜硝酸性窒素および硝酸性窒素に硝化される。それぞれの散気部６ａ〜６ｄが設けられた好気槽２ａ〜２ｄは、直線的に配列しても良く、反応槽２Ａの一例を示す平面図である図２Ａに示すように、途中で折り返して配列した迂回水路としても良い。
【００４４】
また、図１Ｂに示すように、散気部６ａ〜６ｄにはそれぞれ、制御装置を構成する気体供給量制御手段の一部としての気体供給量制御部１０ａ，１０ｂ，１０ｃ，１０ｄが設けられている。気体供給量制御部１０ａ〜１０ｄはそれぞれ、気体流量制御弁などから構成され、制御装置を構成する気体供給量制御手段の一部としての制御部９からの制御信号に従って、それぞれの好気槽２ａ〜２ｄにおける散気部６ａ〜６ｄからの気体供給量をそれぞれ一様または個別に制御する。気体としては、空気のような酸素含有ガスが使用される。
【００４５】
制御装置としての制御部９は、例えばＣＰＵ、ＲＯＭやＲＡＭなどの記憶媒体、およびハードディスクなどの記録媒体を有して構成されるコンピュータ（ＰＣ）などからなる。制御部９においては、記録媒体に後述する窒素含有水の処理方法や制御方法を実行可能な所定のプログラムが格納されている。制御部９は、後述するように、入力された硝酸濃度の計測値データなどの確認信号に応答して、格納されたプログラムに従って制御信号を出力することで、気体供給量制御部１０ａ〜１０ｄを制御して散気部６ａ〜６ｄからの気体供給量を制御する。
【００４６】
また、反応槽２Ａにおける被処理水の流れに沿った所望の位置には、一つの硝酸計７，または複数の硝酸計７ａ、７bが所定位置に備えられている。この脱窒確認手段としての硝酸計７，７ａ、７bは、脱窒を制御する所望の位置における被処理水の硝酸濃度を測定する硝酸濃度測定手段である。この第１の実施形態において、硝酸計７、複数の場合、被処理水の流れ方向に沿った最も上流側の第１の硝酸計としての硝酸計７ａは、例えば反応槽２Ａのほぼ中間位置である好気槽２ｃの流入位置に設置する。ここで、硝酸計７，７ａの設置位置としては、所望の位置に設定可能であり、後述するように脱窒反応の制御に用いることから、脱窒反応により除去したい窒素量を確保できる位置より下流側、かつ、反応槽２Ａの内部において硝化反応を十分に行うことができる位置より上流側が望ましい。さらには、硝酸計７の設置位置は、あらかじめ測定した全窒素濃度、硝酸性窒素、亜硝酸性窒素、およびアンモニア性窒素のそれぞれの濃度に関する反応槽２Ａの位置依存性に基づいて決定可能である。すなわち、最低限必要な脱窒窒素量を得るための上流側脱窒区間８１と、前記上流側脱窒区間の下流側に接続する最終的に必要な硝化水質を得るための下流側硝化区間８２との間（途中位置または第１〜ｎの少なくとも1つの所定位置）である。そして、制御部９、気体供給量制御部１０、および硝酸計７によって、窒素含有水の処理システムが構成されている。
【００４７】
なお、本明細書において硝酸とは、硝酸（ＨＮＯ３）、亜硝酸（ＨＮＯ２）、硝酸性窒素（ＮＯ３−Ｎ）、亜硝酸性窒素（ＮＯ２−Ｎ）、硝酸性窒素と亜硝酸性窒素との集合、および硝酸と亜硝酸とをともに示すＮＯｘを含む概念である。また、本明細書においてアンモニアとは、アンモニアおよびアンモニア性窒素を含む概念である。すなわち、本明細書において硝酸濃度は、硝酸、亜硝酸、硝酸性窒素、亜硝酸性窒素、硝酸性窒素と亜硝酸性窒素との集合、および硝酸と亜硝酸とをともに示すＮＯｘの、いずれの濃度であってもよく、アンモニア濃度は、アンモニア（ＮＨ３）およびアンモニア性窒素（ＮＨ４−Ｎ）のいずれの濃度であっても良い。
【００４８】
また、反応槽２Ａを構成する複数段の好気槽２ａ〜２ｄが図２Ａに示すように折り返して配列されている場合においても、硝酸計７、７ａは反応槽２Ａの被処理水の流れに沿った所望の位置、例えば好気槽２ｃの流入位置などに設けられ、硝酸計が複数のばあいは、最下流部に硝酸計７ｂが設けられる。なお、硝酸計７、７ａ，７ｂの設置位置に関する詳細については後述する。
【００４９】
そして、硝酸計がひとつの場合、硝酸計７は、測定した硝酸濃度の値を制御部９に供給し、硝酸計が複数の場合は、図１Ｂに示すように、硝酸計７ａ，７ｂは、測定した硝酸濃度の値を制御部９に供給する。測定された硝酸濃度の値が供給された制御部９は、気体供給量制御部１０ａ〜１０ｄに制御信号を供給し、硝酸濃度の値に基づいて、散気部６ａ〜６ｄによる気体供給量を制御する。すなわち、制御部９および気体供給量制御部１０ａ〜１０ｄによって、制御装置である気体供給量制御手段が構成される。
【００５０】
固液分離槽３には、最下流の好気槽２ｄから流出した被処理水が流入する。固液分離槽３においては、被処理水が分離液４ａと活性汚泥４ｂとに分離する。固液分離槽３の側壁には、配管（図示せず）が接続されており、この配管を介して分離液４ａが消毒処理過程に送られるように構成されている。また、固液分離槽３の底部には、汚泥返送経路５が接続されており、固液分離槽３の底部に堆積した活性汚泥４ｂを好気槽２ａに返送できるように構成されている。これにより、好気槽２ａおよび下流側の好気槽２ｂ，２ｃ，２ｄ内の生物量を所定量に維持することができる。
【００５１】
（窒素含有水の処理方法における気体供給量制御）
次に、好気槽２ａ〜２ｄにおいて行われる窒素含有水の処理方法、およびこれに伴う制御方法並びに制御部９が実行するプログラムによる気体供給量制御について説明する。図４Ａは、硝酸計が一つの場合の第１の実施形態による処理方法を示すフローチャートである。
【００５２】
この好気槽２ａ〜２ｄにおいて行われる窒素含有水の処理方法においては、まず、図１Ｂに示す最初沈殿池１からの被処理水が、好気槽２ａから好気槽２ｄに順次送られる。それぞれの好気槽２ａ〜２ｄにおいては、好気性条件下で活性汚泥中の好気性微生物である硝化菌により、被処理水中のアンモニア性窒素（ＮＨ４−Ｎ）が、下記の反応式（１）〜（３）のように、亜硝酸性窒素（ＮＯ２−Ｎ）や硝酸性窒素（ＮＯ３−Ｎ）に硝化される（図４Ａ中、ステップＳＴ１およびステップＳＴ２）。
【００５３】
2015054270.tif 000003
【００５４】
一方、反応槽２Ａにおける被処理水中の酸素量が少ない領域や場合によって硝化槽などにおいても、酸素量が少ない領域において脱窒菌による脱窒反応（嫌気反応）が発生する。そのため、この脱窒反応を生じる領域（脱窒反応領域）に充分な炭素源を供給すれば、脱窒反応も充分に進行させることができる。その結果、反応槽２Ａにおいて、部分的に脱窒反応が行われる領域が発生する。これにより、下記の反応式（４）〜（１０）のように、硝化が不充分であることによって発生した亜酸化窒素（Ｎ２Ｏ）ガスを分解したり、亜酸化窒素を発生させることなく亜硝酸を還元したりして、窒素と二酸化炭素とに分解させて、窒素除去を行うことができる。
【００５５】
2015054270.tif 000004
【００５６】
ここで、本発明者は、このような脱窒反応と硝化反応とが並行して進行する場合について、反応槽２Ａにおける好気槽２ａの流入側から好気槽２ｄの流出側の方向、すなわち被処理水の流れの方向に沿って、複数の位置での、アンモニア性窒素（ＮＨ４−Ｎ）、亜硝酸性窒素（ＮＯ２−Ｎ）、および硝酸性窒素（ＮＯ３−Ｎ）におけるそれぞれの窒素濃度と、これらを合計した全窒素濃度とを測定した。図３Ａは、硝酸計が一つの場合、図３Ｂは、硝酸計が複数の場合の、ＮＨ４−Ｎ、ＮＯ２−Ｎ、およびＮＯ３−Ｎの窒素濃度および全窒素濃度を、反応槽２Ａの位置によって測定した結果を示すグラフである。
【００５７】
図３Ａに示すように、反応槽２Ａの比較的前半側である好気槽２ａの流入側から好気槽２ｂの流出側の位置までは、被処理水の流れに従って、ＮＯ２−ＮおよびＮＯ３−Ｎの窒素濃度があまり増加せず、全窒素濃度が減少する。これは、反応槽２Ａの上流側の好気槽２ａ，２ｂにおいて、硝化反応領域と脱窒反応領域とが存在し、硝化反応領域における硝化処理と脱窒反応領域における脱窒処理とが同時に進行して、窒素除去率が向上しているためと考えられる。また、反応槽２Ａにおける比較的後半側である好気槽２ｃの流入側から好気槽２ｄの流出側の位置までは、ＮＯ２−ＮおよびＮＯ３−Ｎの窒素濃度が増加している。すなわち、本発明者は、反応槽２Ａの下流側の好気槽２ｃ，２ｄにおいては、脱窒反応が継続して進行しているとともに、硝化反応が急速に進行していると考えた。そこで、本発明者は、まず、硝酸計７を反応槽２Ａにおける窒素濃度が減少する所望の位置に設置して、この位置における硝酸濃度に基づいて、硝酸計７より少なくとも上流側における気体の供給量を略一様または個別に制御すれば、硝酸計７より上流側で発生している脱窒反応および硝化反応をともに制御可能になることを想起した。
【００５８】
具体的に本発明者は、被処理水が反応槽２Ａ内を流下するに従って、散気部６ａ〜６ｄによって被処理水に含まれるアンモニア（ＮＨ４）が徐々に硝酸（亜硝酸性窒素（ＮＯ２−Ｎ）および硝酸性窒素（ＮＯ３−Ｎ））に硝化されるように、反応槽２Ａ内における被処理水に対して、その流れ方向の略全体に亘って気体を供給することによって、反応槽２Ａ内における被処理水の流れ方向における各位置で硝化されて生じた硝酸の各所望割合が脱窒できることを知見した。これにより、本発明者は、硝酸計７を所望位置に設置して、硝酸計７により計測される計測値が所定範囲に収まるように、少なくとも硝酸計７より上流側の散気部６からの気体供給量を一様または個別に制御することによって、硝酸計７より上流側の脱窒反応および硝化反応を制御できることを知見した。
【００５９】
そこで、本発明においては、まず、制御部９は、好気槽２ｃの流入側に設置した硝酸計７、または硝酸計７ａ、７ｂによる硝酸濃度の測定をモニタリングするとともに、被処理水の流れ方向に沿って少なくとも硝酸計７、７ａより上流側の気体供給量制御部１０ａ，１０ｂを制御する。そして、本発明においてはさらに、気体供給量制御部１０ａ〜１０ｄによって反応槽２Ａにおける気体供給量、すなわちそれぞれの好気槽２ａ〜２ｄの気体供給量を調整する。この場合、反応槽２Ａにおける脱窒反応を制御することを考慮すると、硝酸計７、あるいは硝酸計７ａ，７ｂのうちの最上流側の硝酸計７ａは、脱窒反応および硝化反応が共存する領域のうちの脱窒反応の制御を所望する位置、例えば、硝化反応による硝酸の発生を抑制しつつ脱窒反応を進行させる必要のある反応槽２Ａにおける領域の最下流側の近傍に設置することが望ましい。
【００６０】
そこで、この第１の実施形態においては、硝酸計７、あるいは硝酸計７ａを好気槽２ｃの流入側に設置するのが望ましい。そして、この硝酸計７、または硝酸計７ａによって測定されるＮＯ２−ＮおよびＮＯ３−Ｎの合計の硝酸濃度があらかじめ設定した目標範囲になるように、制御部９が、被処理水の流れ方向に沿って硝酸計７、または硝酸計７ａより上流側の少なくとも気体供給量制御部１０ａ，１０ｂを制御する。なお、必要に応じて制御部９は、気体供給量制御部１０ｃ，１０ｄに制御信号を供給する。これにより、制御部９は、それぞれの好気槽２ａ，２ｂ、さらには好気槽２ｃ，２ｄにおける気体供給量をそれぞれ個別または略一様に制御する。そして、硝酸計７、または硝酸計７ａによって硝化反応により硝化されて生じた硝酸に対する所望割合の脱窒が確認できない場合に、被処理水の流れ方向に沿った硝酸計７、または硝酸計７ａより少なくとも上流側の散気部６ａ，６ｂによる気体の供給量を個別または一様に増減制御する。そして、制御部９によって気体供給量を制御することによって、反応槽２Ａ内の硝酸計７、または硝酸計７ａより上流側における被処理水において、硝化反応を抑制しつつ脱窒反応を進行させることができる。硝酸計７、または硝酸計７ａより下流側においては、被処理水の上流側から下流側への流れに沿って被処理水中の溶存酸素量が増加するので、脱窒反応が進行しつつも被処理水はより好気条件となって硝化反応が急速に進行して、アンモニア（ＮＨ４）が急速に減少するとともに、硝酸（亜硝酸性窒素（ＮＯ２−Ｎ）および硝酸性窒素（ＮＯ３−Ｎ））の濃度が急速に増加する。なお、気体供給量の制御においては、後述するように曝気を連続的に行っても、気体供給量を０とした曝気の停止制御を含んで間欠的に行っても良い。
【００６１】
具体的には、硝酸計がひとつの場合、硝酸計７が、好気槽２ｃの流入側におけるＮＯ２−ＮおよびＮＯ３−Ｎの合計の硝酸濃度を測定する（図４Ａ中、ステップＳＴ３）。硝酸計７は、硝酸濃度の計測値を制御部９に供給する。制御部９は、供給された硝酸濃度の値が所定範囲内であるか否か、すなわち例えば５．０ｍｇ／Ｌ以下などのあらかじめ設定した目標範囲（設定目標範囲）内であるか否かを判断する（図４Ａ中、ステップＳＴ４）。
【００６２】
ここで、本発明者の知見によれば、反応槽２Ａ内の硝酸濃度が５．０ｍｇ／Ｌを超えると硝酸化が急激に進行してしまい、空気量を低減しても反応槽２Ａの内部の状況を制御することが困難になるため、設定目標範囲は５．０ｍｇ／Ｌ以下であることが好ましい。そして、供給された硝酸濃度の計測値が設定目標範囲内である場合（図４Ａ中、ステップＳＴ４：Ｙｅｓ）には、制御部９は、硝酸計７による硝酸濃度のモニタリングを継続する（図４Ａ中、ステップＳＴ３）。なお、この設定目標範囲については、反応槽２Ａの形状、寸法などの設計に応じて反応槽ごとに最適な設定目標範囲が設定される。
【００６３】
他方、制御部９は、硝酸計７から供給された硝酸濃度の計測値が設定目標範囲未満、すなわち設定目標範囲の下限未満であると判断する（図４Ａ中、ステップＳＴ４：Ｎｏ）と、気体供給量制御部１０ａ〜１０ｄに制御信号を供給して、少なくとも好気槽２ａ，２ｂにおける硝酸濃度を増加させるように、少なくとも散気部６ａ，６ｂからの気体供給量を増加させる制御を行う（図４Ａ中、ステップＳＴ５）。このとき、好気槽２ｃ，２ｄにおいては、散気部６ｃ，６ｄによる気体供給量を、散気部６ａ，６ｂと同様に増加させる制御を行っても、変化させない制御を行っても良い。
【００６４】
一方、硝酸計７から供給された硝酸濃度の値が設定目標範囲を超えた場合、すなわち設定目標範囲の上限を超えた場合にも、制御部９は、硝酸濃度の計測値が設定目標範囲外であると判断し（図４Ａ中、ステップＳＴ４：Ｎｏ）、気体供給量制御部１０ａ〜１０ｄに制御信号を供給して、少なくとも好気槽２ａ，２ｂにおける硝酸濃度を低下させるように、少なくとも散気部６ａ，６ｂによる気体供給量を減少させる制御を行う（図４Ａ中、ステップＳＴ５）。このとき、好気槽２ｃ，２ｄにおいては、制御部９は、散気部６ｃ，６ｄによる気体供給量を、散気部６ａ，６ｂと同様に減少させる制御を行っても、変化させない制御を行っても良い。
【００６５】
すなわち、上述した散気部６ａ〜６ｄの制御においては、散気部６ａ〜６ｄからの気体供給量を一様に増減させたり、散気部６ａ，６ｂからの気体供給量を増減させつつ散気部６ｃ，６ｄからの気体供給量を一定に維持させたりすることが可能である。なお、硝酸計７の設置位置に応じて、増減制御を行う必要のある散気部６が選択される。具体的には、硝酸計７を好気槽２ａの下流側または好気槽２ｂの上流側に設置した場合においては、制御部９は、少なくとも気体供給量制御部１０ａにより、散気部６ａからの気体供給量を制御する。反対に、硝酸計７を好気槽２ｃの下流側または好気槽２ｄの上流側に設置した場合には、制御部９は、少なくとも気体供給量制御部１０ａ〜１０ｃにより、散気部６ａ〜６ｃからのそれぞれの気体供給量を制御する。なお、これらの気体供給量の制御において、制御部９は、それぞれの散気部６ａ〜６ｄに対して、それぞれの気体供給量制御部１０ａ〜１０ｄごとの独立した制御を行っても良く、互いに同一の制御を行っても良く、散気部６ａ，６ｂ，６ｃ，６ｄにおいて複数の散気部を適宜選択して集団化させ、この集団ごとに独立して制御を行っても良い。
【００６６】
このように、制御部９がそれぞれの気体供給量制御部１０ａ〜１０ｄに制御信号を供給して、それぞれの散気部６ａ〜６ｄにおける気体供給量を制御することにより、好気槽２ａ，２ｂ内において、脱窒反応と硝化反応とを適切に共存させて、反応槽２Ａの内部において脱窒反応の生成を制御することが可能となる。また、制御部９が気体供給量を最適に制御していることにより、散気部６ａ〜６ｄによる気体供給量を必要十分な量に制御することができ、ブロア８の消費電力量を削減して、窒素含有水処理における消費電力を削減することも可能となる。
【００６７】
硝酸計が複数の場合、制御部９は、供給される硝酸計７ａ，７ｂによるそれぞれの設置位置における硝酸濃度の計測値のうち、少なくとも１箇所における計測値が設定目標範囲から外れていると判断する（図４Ｂ中、ステップＳＴ４：Ｎｏ）と、ステップＳＴ５に移行する。ステップＳＴ５において制御部９は、気体供給量制御部１０ａ〜１０ｄに制御信号を供給して硝酸濃度が目標設定範囲の下限未満である場合には好気槽２ａ〜２ｄの硝酸濃度を増加させるように、散気部６ａ〜６ｄによる気体供給量を増加させる制御を行ったり、硝酸濃度が目標設定範囲の上限より大きい場合には好気槽２ａ〜２ｄの硝酸濃度を低下させるように散気部６ａ〜６ｄによる気体供給量を減少させる制御を行ったりする。
【００６８】
すなわち、上述した散気部６ａ〜６ｄの制御においては、散気部６ａ〜６ｄからの気体供給量を一様に増減させたり、散気部６ａ，６ｂからの気体供給量を増減させつつ散気部６ｃ，６ｄからの気体供給量を一定に維持させたりするようなことが可能である。なお、硝酸計７ａ，７ｂのそれぞれの設置位置に応じて、増減制御を行う必要のある散気部６ａ〜６ｄが選択される。具体的には、硝酸計７ａを好気槽２ａの下流側または好気槽２ｂの上流側に設置した場合においては、制御部９は、少なくとも気体供給量制御部１０ａにより、散気部６ａからの気体供給量を制御する。反対に、硝酸計７ａを好気槽２ｃの下流側または好気槽２ｄの上流側に設置した場合には、制御部９は、少なくとも気体供給量制御部１０ａ〜１０ｃにより、散気部６ａ〜６ｃからのそれぞれの気体供給量を制御する。これらの制御については、硝酸計７ｂに基づく制御の場合においても同様であり、散気部６ａ〜６ｄのうちの、少なくとも硝酸計７ａより下流側かつ硝酸計７ｂより上流側における散気部を制御する。さらに、これらの気体供給量の制御において、制御部９は、それぞれの散気部６ａ〜６ｄに対して、それぞれの気体供給量制御部１０ａ〜１０ｄごとの独立した制御を行っても良く、互いに同一の制御を行っても良く、散気部６ａ，６ｂ，６ｃ，６ｄにおいて複数の散気部を適宜選択して集団化させ、この集団ごとに独立して制御を行っても良い。
【００６９】
具体的には、制御部９は、まず硝酸計７ａによって測定されるＮＯ２−ＮおよびＮＯ３−Ｎの合計の硝酸濃度（以下、硝酸濃度）が例えば５．０ｍｇ／Ｌ以下のあらかじめ設定した目標設定範囲内になるように、気体供給量制御部１０ａ〜１０ｄに制御信号を供給して、それぞれの好気槽２ａ〜２ｄにおけるそれぞれの散気部６ａ〜６ｄによる気体供給量を制御する。
【００７０】
また、制御すべき硝酸濃度の設定目標範囲は、硝酸計７ａから水理学的滞留時間（ＨＲＴ）が例えば１時間下流側になるごとに、反応槽２Ａにおいて硝化を促進する場合と硝化を抑制する場合とでそれぞれ、所定の増加量だけ増加して設定される。
【００７１】
具体的には、反応槽２Ａにおいて硝化を促進する場合、制御すべき硝酸濃度の設定目標範囲を、硝酸計７ａから水理学的滞留時間が１時間下流側になるごとに、例えば５．０ｍｇ／Ｌ以上の所定の増加量だけ増加させる。すなわち、硝酸計７ｂを、硝酸計７ａから水理学的滞留時間が１時間となる下流側に設置した場合、硝酸計７ｂの設置位置における設定目標範囲を例えば１０．０ｍｇ／Ｌ以上の所定範囲として、硝酸計７ａの設置位置における設定目標範囲より５．０ｍｇ／Ｌ以上増加させた値にする。
【００７２】
反対に、反応槽２Ａにおいて硝化を抑制する場合、制御すべき硝酸濃度の設定目標範囲は、硝酸計７ａから水理学的滞留時間が１時間下流側になるごとに、例えば３．０ｍｇ／Ｌ以下の所定の増加量だけ増加させる。すなわち、硝酸計７ｂを硝酸計７ａから水理学的滞留時間が１時間となる下流側に設置した場合、硝酸計７ｂの設置位置における設定目標範囲を例えば８．０ｍｇ／Ｌ以下の所定値として、硝酸計７ａの設置位置における設定目標範囲より３．０ｍｇ／Ｌ以下増加させた値にする。そして、制御部９は、それぞれの硝酸計７ａ，７ｂによる計測値が、それぞれの硝酸計７ａ，７ｂにおける上述した設定目標範囲内になるように、散気部６ａ〜６ｄによる気体供給量を制御する。
【００７３】
特に、硝酸計が複数の場合、硝酸計７ａの計測値に応じて、好気槽２ａ，２ｂ内において脱窒反応と硝化反応とを共存させて適切に制御することができ、硝酸計７ｂの計測値に応じて、好気槽２ｃ，２ｃ内において脱窒反応と硝化反応とを共存させて適切に制御することができる。これにより、反応槽２Ａの内部における脱窒反応を硝化反応とともに制御することが可能となる。また、制御部９が気体供給量を最適に制御していることにより、散気部６ａ〜６ｄによる気体供給量を必要十分な量に制御することができ、ブロア８の消費電力量を削減して、窒素含有水処理における消費電力を削減することも可能となる。
【００７４】
以上説明した本発明の第１の実施形態によれば、硝酸計がひとつの場合、反応槽２Ａ
を構成する複数の好気槽２ａ〜２ｄにおいて、反応槽２Ａにおける被処理水の流れ方向に沿った所望の位置、例えば反応槽２Ａの中間の位置である好気槽２ｃの流入部側に硝酸計７を設置し、この硝酸計７による硝酸濃度の測定に基づいて、硝酸濃度が所定範囲に収まるように、少なくとも散気部６ａ，６ｂ，必要に応じて散気部６ａ〜６ｄによって、好気槽２ａ〜２ｄにおける気体供給量を制御している。これにより、主に反応槽２Ａの比較的前半側である好気槽２ａ，２ｂにおいて行われる脱窒反応を硝化反応とともに制御することができ、窒素除去率を向上させることができるとともに、被処理水の有機物負荷や窒素負荷に応じて反応槽２Ａに適正な量の酸素を供給することができる。
【００７５】
また、図１Ａに示されるように、反応槽２Ａと同形状の別の反応槽２Ｂ、２Ｃ・・・があり、同条件で窒素含有水の流入、返送汚泥の返送がある場合、その別の反応槽も反応槽２Ａと同条件で気体供給量の制御をして、適正な量の酸素を供給すれば上記反応槽２Ａ（複数の反応槽におけるいずれか１つの反応槽）と同程度の精度で脱窒及び硝化を制御することができる。
【００７６】
このため、本発明では、複数の反応槽におけるいずれか１つの反応槽２Ａにおける前記硝酸計７に対応してＤＯ計８８が設けられている。このＤＯ計では、前記硝酸計７の測定値に基づいて散気手段からの散気量の制御に起因する溶存酸素量の変化を測定するものであるから、硝酸計に対応するＤＯ計は、硝酸計７の測定値に基づいて散気手段の制御が行われる区間内の所定位置に設けられていればよい。ただし、反応槽の入口付近の散気手段による散気効果が発現するまでの区間では溶存酸素量はほとんど変化しない。したがって、使用するＤＯ計の測定限界未満の変化しか生じないこれらの区間８３は、ＤＯ計を設ける意味がなく、当然除かれる。
【００７７】
前記複数の反応槽におけるいずれか１つの反応槽２Ａ以外の反応槽（２Ｂ、２Ｃ、・・・）には、反応槽２Ａにおける各硝酸計に対応するＤＯ計８８と同じ所定位置にＤＯ計が設けられている。
一方、前記複数の反応槽におけるいずれか１つの反応槽２ＡのＤＯ計８８において測定された溶存酸素量は、前記制御部９に送られ、各反応槽（２Ｂ、２Ｃ・・・）におけるＤＯ計８８の目標値に設定される。そして、各反応槽（２Ｂ、２Ｃ、…）では、各反応槽のＤＯ計８８で測定された溶存酸素量が、前記設定された目標と一致するよう当該反応槽の散気手段が制御される。
すなわち、反応槽２ＢのＤＯ計８８の測定値が目標値と一致しなかった場合、反応槽２Ａの脱窒確認手段によって制御される散気手段６ａ〜６ｄに対応する反応槽２Ｂの散気手段６ａ〜６ｄにより散気量が制御される。
【００７８】
一方、硝酸計が複数の場合、反応槽２Ａに複数の硝酸計７ａ，７ｂを設置し、これらの硝酸計７ａ，７ｂのうちの最も上流側の硝酸計７ａを反応槽２Ａにおける脱窒領域の制御を行う所望の位置に設置し、この硝酸計７ａ，７ｂによる硝酸濃度の測定に基づいて、硝酸濃度が設定目標範囲になるように、好気槽２ａ〜２ｄにおける気体供給量を制御している。これにより、主に反応槽２Ａの前半部分である好気槽２ａ，２ｂにおいて行われる脱窒反応を制御することができ、窒素除去率を向上させることができるとともに、被処理水の有機物負荷や窒素負荷に応じて反応槽２Ａに適正な量の酸素を供給することができる。また、反応槽２Ａにおいて硝化を促進させる場合と硝化を抑制させる場合とにおいて、複数の硝酸計７ａ，７ｂによる硝酸濃度の目標設定値の上限を異ならせていることにより、反応槽２Ａにおける脱窒反応および硝化反応をより一層適切に制御することが可能となる。
【００７９】
本発明では、前記反応槽２Ａにおける前記硝酸計７ａ、７ｂに対応してＤＯ計８８、８９が設けられている。このＤＯ計では、前記硝酸計７ａ、７ｂの測定値に基づいて散気手段からの散気量の制御に起因する溶存酸素量の変化を測定するものであるから、硝酸計に対応するＤＯ計は、各硝酸計７ａ、７ｂの測定値に基づいて散気手段の制御が行われる区間（８４，８５）内の所定位置に設けられていればよい。ただし、反応槽の入口付近の散気手段による散気効果が発現するまでの区間８３では溶存酸素量はほとんど変化しない。したがって、使用するＤＯ計の測定限界未満の変化しか生じないこれらの区間８３は、ＤＯ計を設ける意味がなく、当然除かれる。
前記複数の反応槽におけるいずれか１つの反応槽２Ａ以外の反応槽（２Ｂ、２Ｃ、・・・）には、反応槽２Ａにおける各硝酸計に対応するＤＯ計８８、８９と同じ所定位置にＤＯ計が設けられている。
一方、前記反応槽２ＡのＤＯ計８８、８９において測定された溶存酸素量は、前記制御部９に送られ、各反応槽（２Ｂ、２Ｃ・・・）におけるＤＯ計８８、８９の目標値に設定される。そして、各反応槽（２Ｂ、２Ｃ、…）では、各反応槽のＤＯ計８８、８９で測定された溶存酸素量が、前記設定された目標と一致するよう当該反応槽の散気手段が制御される。
すなわち、反応槽２ＢのＤＯ計８８の測定値が目標値と一致しなかった場合、反応槽２Ａの硝酸計７ａの測定値によって制御される散気手段６ａ、６ｂに対応する反応槽２Ｂの散気手段６ａ、６ｂにより散気量が制御され、反応槽２ＢのＤＯ計８９の測定値が目標値と一致しなかった場合、反応槽２Ａの硝酸計７ｂの測定値によって制御される散気手段６ｃ、６ｄに対応する反応槽２Ｂの散気手段６ｃ、６ｄにより散気量が制御される。
【００８０】
（第１の実施形態の変形例１）
また、この第１の実施形態においては、反応槽２Ａを４槽の好気槽２ａ〜２ｄから構成したが、この反応槽２Ａを被処理水の流れが生じる単一槽とすることも可能である。図２Ｂは、第１の実施形態の変形例１としての、反応槽２Ａを単一槽から構成した場合の平面図である。図２Ｂに示すように、散気手段としては、複数の散気部６ａ〜６ｄの代わりに単体の散気部６から構成しても良い。この場合においても、硝酸計７、または硝酸計７ａ，７ｂの最上流側の硝酸計７ａは、被処理水の流れ方向に沿って、脱窒反応を制御する必要がある領域の最下流側の所望の位置に設けられるが、硝酸計がひとつの場合、ここでは反応槽２Ａの被処理水の流れ方向に沿ったほぼ中間の位置に設けられる。なお、散気手段を単体の散気部６から構成した場合であっても、散気部６における反応槽２Ａ内での気体の供給部分ごとに気体供給量を制御可能に構成しても良い。また、反応槽２Ａを単一槽とした場合においても、散気手段を、上述した第１の実施形態と同様に複数の散気部から構成してもよい。そして、反応槽２Ａを単一槽とし、散気手段を複数の散気部から構成する場合においても、複数の散気部を互いに独立して制御しても、互いに同一に制御しても良い。
【００８１】
（第２の実施形態）
次に、本発明の第２の実施形態による制御装置を備えた窒素含有水の処理装置について説明する。図５は、この第２の実施形態による窒素含有水の処理装置を示す構成図である。
【００８２】
図５に示すように、この第２の実施形態による窒素含有水の処理装置においては、第１の実施形態と異なり、反応槽２Ａは、複数段の好気槽ではなく単一の好気槽である硝化脱窒反応槽から構成されている。また、この反応槽２Ａの被処理水の流れ方向において所望の位置、すなわち、より上流側の被処理水中の脱窒反応を制御するための所定位置に硝酸計７が設置され、硝酸計が複数の場合は、反応槽２Ａの被処理水の流れ方向に沿った少なくとも２箇所の所望の位置に硝酸計７ａ，７ｂが設置されている。硝酸計７、７ａ、７ｂは、それらの所定位置における硝酸濃度を測定して測定結果を制御部９に供給する。制御部９は、供給されたそれぞれの硝酸濃度に基づいて、それぞれの硝酸計より少なくとも上流側の散気部６ａ，６ｂ，６ｃ，６ｄの気体供給量（曝気量）を制御する。なお、制御部９は、反応槽２Ａに亘って、散気部６ａ〜６ｄを気体供給量が一様になるように制御することも可能であり、散気部６ａ，６ｂと散気部６ｃ，６ｄとをそれぞれ個別に制御することも可能である。
【００８３】
また、反応槽２Ａに対して、被処理水の流れ方向に沿った前段には、嫌気槽１２が設けられている。嫌気槽１２は、窒素含有水である被処理水が最初沈殿池１を介して流入する槽である。嫌気槽１２内には、外部のモータ１２ａにより回転可能な攪拌部１２ｂが設けられており、この攪拌部１２ｂにより、嫌気槽１２内の活性汚泥が攪拌される。なお、下水処理場の構成によっては最初沈殿地１が設けられていない場合もあり、この場合には原水は最初に嫌気槽１２に流入する。この嫌気槽１２は、嫌気環境下でリン蓄積細菌の作用によって被処理水に対し脱リン処理（嫌気処理）を施すための槽である。そして、嫌気槽１２においては、嫌気条件下で被処理水中に含まれる有機物が活性汚泥に取り込まれるとともに、活性汚泥中に含まれるリンが原水中に放出される。
【００８４】
また、固液分離槽３の底部に接続された汚泥返送経路５によって、固液分離槽３の底部に堆積した活性汚泥４ｂが嫌気槽１２に返送される。これにより、嫌気槽１２および下流側の反応槽２Ａ内の生物量を所定量に維持することができる。なお、固液分離槽３において生成された活性汚泥４ｂの残部は余剰汚泥として外部に排出される。その他の構成については、第１の実施形態と同様であるので、説明を省略する。
【００８５】
この第２の実施形態においては、単一槽からなる反応槽２Ａの所望の位置に、計測した硝酸濃度を制御部９に供給する硝酸計７、あるいは硝酸計７ａ，７ｂを設置していることにより、第１の実施形態と同様の効果を得ることができる。
【００８６】
（第３の実施形態）
次に、本発明の第３の実施形態による窒素含有水処理装置の構成について説明する。図６は、この第２の実施形態による窒素含有水処理装置の構成を示す模式図である。図６に示すように、本発明の第３の実施形態による窒素含有水処理装置は、最初沈殿池１、順次連通した複数段の好気槽２ａ，２ｂ，２ｃ，２ｄ（第１槽〜第４槽）からなる反応槽２Ａ、固液分離槽３、汚泥返送経路５、および制御部９を備える。
【００８７】
この第３の実施形態においては、反応槽２Ａにおける被処理水の流れ方向に沿って、複数の硝酸計７ａ，７ｂ，７ｃ，７ｄが備えられている。これらの硝酸計７ａ〜７ｄはそれぞれ、被処理水の硝酸濃度を測定する硝酸濃度測定手段である。これらの硝酸計７ａ〜７ｄのうちの少なくとも１つの硝酸計７ａは、反応槽２Ａにおける被処理水の流れに沿ったほぼ中間の位置、すなわち好気槽２ａ〜２ｄにおける中間位置である好気槽２ｂの下流で好気槽２ｃの流入側に備えられる。また、反応槽２Ａを構成する複数段の好気槽２ａ〜２ｄが図２Ａに示すように折り返して配列されている場合であっても、硫酸計７ａ〜７ｄのうちの少なくとも１つの硝酸計７ａは、反応槽２Ａの被処理水の流れに沿ったほぼ中間の位置である好気槽２ｃの流入位置に備えられる。なお、このような少なくとも１つの硝酸計としては、複数の硝酸計７ａ〜７ｄのうちの最も上流側に設ける硝酸計７ａを採用するのが望ましいが、中間に設ける硝酸計７ｂ，７ｃや、最も下流側に設ける硝酸計７ｄを採用しても良い。
【００８８】
そして、図６に示すように、硝酸計７ａ〜７ｄは、計測定した硝酸濃度の値を制御部９に供給する。測定された硝酸濃度の値が供給された制御部９は、気体供給量制御部１０ａ〜１０ｄに制御信号を供給し、硝酸濃度の値に基づいて、散気部６ａ〜６ｄによる気体供給量を制御する。すなわち、制御部９および気体供給量制御部１０ａ〜１０ｄによって、気体供給量制御手段が構成される。その他の構成については第１の実施形態と同様であるので、説明を省略する。
【００８９】
（窒素含有水の処理方法における気体供給量制御）
次に、好気槽２ａ〜２ｄにおいて行われる窒素含有水の処理方法における気体供給量の制御について、適宜図４Ｂを参照しつつ説明する。
【００９０】
すなわち、第１の実施形態と同様に、ステップＳＴ１およびステップＳＴ２を実行する。その後、硝酸計７ａ〜７ｄが、それぞれの設置位置において硝酸濃度を測定する（図４Ｂ中、ステップＳＴ３）。硝酸計７ａ〜７ｄは、それぞれの設置位置における硝酸濃度の計測値を制御部９に供給する。制御部９は、供給された硝酸計７ａ〜７ｄによるそれぞれの硝酸濃度の計測値が、それぞれの硝酸計７ａ〜７ｄの設置位置ごとにあらかじめ設定した設定目標範囲内であるか否かを判断する（図４Ｂ中、ステップＳＴ４）。
【００９１】
制御部９に供給された硝酸計７ａ〜７ｄによるそれぞれの硝酸濃度の計測値がすべて、あらかじめ設定された設定目標範囲内である場合（図４Ｂ中、ステップＳＴ４：Ｙｅｓ）には、制御部９は、硝酸計７ａ〜７ｄによる硝酸濃度のモニタリングを継続する（図４Ｂ中、ステップＳＴ３）。
【００９２】
一方、制御部９は、供給される硝酸計７ａ〜７ｄによるそれぞれの設置位置（第１〜第４の所定位置）における硝酸濃度の計測値のうち、少なくとも１箇所における計測値が設定目標範囲から外れていると判断する（図４Ｂ中、ステップＳＴ４：Ｎｏ）と、ステップＳＴ５に移行する。ステップＳＴ５において制御部９は、気体供給量制御部１０ａ〜１０ｄに制御信号を供給して硝酸濃度が設定目標範囲の下限未満の場合には好気槽２ａ〜２ｄの硝酸濃度を増加させるように、散気部６ａ〜６ｄによる気体供給量を増加させる制御を行ったり、硝酸濃度が設定目標範囲の上限より大きい場合には好気槽２ａ〜２ｄの硝酸濃度を低下させるように散気部６ａ〜６ｄによる気体供給量を減少させる制御を行ったりする。
【００９３】
具体的には、制御部９は、まず、第１の所定位置に設置された硝酸計７ａによって測定される硝酸濃度が例えば５．０ｍｇ／Ｌ以下といった、あらかじめ設定目標範囲内になるように、気体供給量制御部１０ａ〜１０ｄに制御信号を供給する。これにより、少なくとも第１の所定位置より上流側の散気部６ａ，６ｂの気体供給量を制御し、それぞれの好気槽２ａ〜２ｄにおけるそれぞれの脱窒反応および硝化反応を制御する。
【００９４】
また、制御すべき硝酸濃度の設定目標範囲は、硝酸計７ａから水理学的滞留時間が１時間下流側になるごとに、反応槽２Ａにおいて硝化を促進する場合と硝化を抑制する場合とでそれぞれ、所定の増加量だけ増加させて設定される。
【００９５】
具体的には、反応槽２Ａにおいて硝化を促進する場合、制御すべき硝酸濃度の設定目標範囲を、硝酸計７ａから水理学的滞留時間が１時間下流側になるごとに、例えば５．０ｍｇ／Ｌ以上の所定の増加量だけ増加させる。すなわち、硝酸計７ｂを、硝酸計７ａから水理学的滞留時間が１時間となる下流側の第２の所定位置に設置した場合、硝酸計７ｂの第２の所定位置における設定目標範囲の上限を例えば１０．０ｍｇ／Ｌ以上の所定値として、硝酸計７ａの設置位置における設定目標範囲の上限より５．０ｍｇ／Ｌ以上増加させた値にする。
【００９６】
反対に、反応槽２Ａにおいて硝化を抑制する場合、制御すべき硝酸濃度の設定目標範囲の上限は、硝酸計７ａから水理学的滞留時間が１時間下流側になるごとに、例えば３．０ｍｇ／Ｌ以下の所定の増加量だけ増加させる。すなわち、硝酸計７ｂを硝酸計７ａから水理学的滞留時間が１時間となる下流側に設置した場合、硝酸計７ｂの設置位置における設定目標範囲の上限を、例えば８．０ｍｇ／Ｌ以下の所定値として、硝酸計７ａの設置位置における設定目標範囲の上限より３．０ｍｇ／Ｌ以下増加させた値にする。
【００９７】
そして、制御部９は、少なくとも第１の所定位置と第２の所定位置との間の散気部６ｃの一部からの気体供給量を制御する。
【００９８】
さらに、硝酸計７ｃを、硝酸計７ｂから水理学的滞留時間が１時間となる下流側の第３の所定位置に設置した場合、硝酸計７ｃの第３の所定位置における設定目標範囲は、硝化促進の場合、硝酸計７ｂの設定目標範囲から例えば５．０ｍｇ／Ｌ以上の所定の増加量だけ増加させ、例えば少なくとも１５．０ｍｇ／Ｌ以上の所定値とする。反対に、硝化抑制の場合の硝酸計７ｃの設置位置における設定目標範囲は、硝酸計７ｂの設定目標範囲から例えば３．０ｍｇ／Ｌ以下の所定の増加量だけ増加させ、例えば高々１１．０ｍｇ／Ｌ以下の所定値とする。そして、制御部９は、少なくとも第２の所定位置と第３の所定位置との間の散気部６ｃの一部からの気体供給量を制御する。
【００９９】
同様に、硝酸計７ｄにおいても、硝酸計７ｃから水理学的滞留時間が１時間となる下流側の第４の所定位置に設置された場合、硝酸計７ｄの第４の所定位置における設定目標範囲は、硝化促進の場合、硝酸計７ｃの設定目標範囲から例えば５．０ｍｇ／Ｌ以上の所定の増加量だけ増加させ、例えば少なくとも２０．０ｍｇ／Ｌ以上の所定値となる。反対に、硝化抑制の場合の硝酸計７ｄの設置位置における設定目標範囲は、硝酸計７ｃの設定目標範囲から例えば３．０ｍｇ／Ｌ以下の所定の増加量だけ増加させた、例えば高々１４．０ｍｇ／Ｌ以下の所定値となる。そして、制御部９は、少なくとも第３の所定位置と第４の所定位置との間の散気部６ｄからの気体供給量を制御する。
【０１００】
以上のようにして、制御部９は、それぞれの硝酸計７ａ〜７ｄによる計測値が、それぞれの硝酸計７ａ〜７ｄにおける上述した設定目標範囲になるように、散気部６ａ〜６ｄによる気体供給量を制御する。このように制御部９がそれぞれの気体供給量制御部１０ａ〜１０ｄに制御信号を供給して、それぞれの散気部６ａ〜６ｄによる気体供給量を制御することにより、好気槽２ａ，２ｂ内において、硝化反応を抑制しつつ脱窒反応を共存させて、脱窒反応を適切に制御することができ、反応槽２Ａ内の全域における脱窒反応を硝化反応とともに制御することが可能となる。また、硝酸計７ａによって硝化反応により硝化されて生じた硝酸に対する所望割合の脱窒が確認できない場合に、被処理水の流れ方向に沿った硝酸計７ａより少なくとも上流側の散気部６ａ，６ｂによる気体の供給量を個別または一様に増減制御する。同様に、硝酸計７ｂ，７ｃ，７ｄによって硝酸に対する所望割合の脱窒が確認できない場合に、少なくともそれぞれの硝酸計７ｂ，７ｃ，７ｄの上流側のそれぞれ硝酸計７ａ，７ｂ，７ｃとの間の散気部６ｃ，６ｄによる気体の供給量を個別または一様に増減制御する。このように制御部９によって気体供給量を制御することによって、反応槽２Ａ内の硝酸計７ａより上流側における被処理水において、硝化反応を抑制しつつ脱窒反応を進行させることができるとともに、硝酸計７ａより下流側における被処理水に対しても脱窒反応および硝化反応を制御することができる。また、制御部９が気体供給量を最適に制御していることにより、散気部６ａ〜６ｄによる気体供給量を必要十分な量に制御することができ、ブロア８の消費電力量を削減して、窒素含有水処理における消費電力を削減することも可能となる。
【０１０１】
本発明の第３の実施形態によれば、反応槽２Ａに硝酸計７ａ〜７ｄを設置していることにより、第１の実施形態と同様の効果を得ることができるとともに、反応槽２Ａに、第１の実施形態の場合に比してより多い４箇所の、第１〜第４の所定位置における硝酸濃度を測定する硝酸計７ａ〜７ｄを設置し、これらの硝酸計７ａ〜７ｄのうちの最上流側の硝酸計７ａを、反応槽２Ａにおいて、脱窒反応を制御する所望位置である好気槽２ｃの流入部側に設置し、さらに、これらの硝酸計７ａ〜７ｄによる硝酸濃度の測定に基づいて、硝酸濃度が設定目標範囲内になるように、好気槽２ａ〜２ｄにおける気体供給量を制御している。これにより、主に反応槽２Ａにおいて行われる脱窒反応をより細かく制御することができ、窒素除去率を向上させることができるとともに、被処理水の有機物負荷や窒素負荷に応じて反応槽２Ａに適正な量の酸素を供給することができる。また、反応槽２Ａにおいて脱窒反応を適切に生成させつつ、硝化を促進させる場合と硝化を抑制させる場合とにおいて、複数の硝酸計７ａ〜７ｄによる硝酸濃度の目標設定範囲の上限を異ならせていることにより、第１の実施形態に比して、反応槽２Ａにおける硝化反応をより一層適切に制御することが可能となる。その他の構成については第１の実施形態と同様であるので、説明を省略する。
【０１０２】
（第４の実施形態）
次に、本発明の第４の実施形態による窒素含有水処理装置について説明する。図７は、この第４の実施形態による窒素含有水処理装置の構成を示す。
【０１０３】
（窒素含有水処理装置の構成）
図７に示すように、この第４の実施形態による窒素含有水処理装置においては、上述した第３の実施形態におけると異なり、１つの硝酸計７に、反応槽２Ａの複数箇所における処理水をそれぞれ採取するための複数の配管が、相互で切り替え可能に接続されている。それぞれの配管には、バルブ１１ａ，１１ｂ，１１ｃ，１１ｄがそれぞれ設けられている。そして、これらのバルブ１１ａ〜１１ｄの開閉によって、硝酸計７に供給する被処理水を反応槽２Ａ内の位置ごとに切り換えるようにする。
【０１０４】
また、硝酸計７は、バルブ１１ａ〜１１ｄのうちで開いたバルブに応じて、反応槽２Ａの複数箇所における被処理水の硝酸濃度を独立に測定可能に構成されているとともに、硝酸濃度の値を制御部９に供給可能に構成されている。これによって、第１の実施形態におけると異なり、硝酸計７を１台設置するのみで、反応槽２Ａの複数箇所における被処理水の硝酸濃度を測定することができる。なお、硝酸計７に被処理水を供給する方法以外にも、計測用槽を設け、この計測用槽に反応槽２Ａのそれぞれの位置の被処理水を供給して、硝酸計７により硝酸濃度を計測することも可能である。その他の構成および気体供給量の制御については、第１の実施形態におけると同様であるので、その説明を省略する。
【０１０５】
第４の実施形態においても、反応槽２Ａの複数箇所において被処理水の硝酸濃度を測定することができるので、第２の実施形態と同様の効果を得ることができる。
【０１０６】
（第５の実施形態）
次に、本発明の第５の実施形態による制御装置を備えた窒素含有水の処理装置について説明する。図８は、第５の実施形態による窒素含有水の処理装置における嫌気槽１２および反応槽２Ａを示す斜視透過図である。図８において、以下の説明のために、嫌気槽１２および反応槽２Ａにおける図面手前側の側壁は記載していない。また、図９Ａおよび図９Ｂはそれぞれ、図８におけるＡ−Ａ線およびＢ−Ｂ線に沿った反応槽の断面図である。なお、硝酸計が一つの場合、図９Ｂに示される硝酸計７ｂは存在しない。
【０１０７】
図８に示すように、この反応槽２Ａは、単一槽から構成されているとともに、被処理水の流れ方向に沿った反応槽２Ａの前段には嫌気槽１２が設けられている。嫌気槽１２には一方の側から原水が流入され、嫌気槽１２において嫌気処理された被処理水が、他方の側から反応槽２Ａに供給される。
【０１０８】
また、反応槽２Ａの内部には、反応槽２Ａの高さ方向に沿ったほぼ中間に板形状の散気部６が設けられている。散気部６は、反応槽２Ａの長手方向である被処理水の流れ方向に沿った所定の区画ごとに、気体供給量制御部１０によって気体の供給量を調整可能に構成されている。
【０１０９】
また、反応槽２Ａにおける被処理水の流れ方向、すなわち反応槽２Ａの長手方向に沿った所定位置に硝酸濃度を計測可能な硝酸計７、あるいは硝酸計７ａ，７ｂが設置されている。硝酸計が一つの場合、硝酸計７は計測した硝酸濃度を制御部９に供給する。制御部９は、供給された硝酸濃度の計測値に応じ、所定のプログラムに従って、気体供給量制御部１０に制御信号を供給する。気体供給量制御部１０は、供給された制御信号に応じて、散気部６の全体に亘って一様になるように気体供給量を制御したり、散気部６の所定の区画ごとに気体供給量を制御したりする。硝酸計が複数の場合、硝酸計７ａ，７ｂは計測した硝酸濃度を制御部９に供給する。制御部は、供給された硝酸濃度の計測値に応じ、所定のプログラムにしたがって、気体供給量制御部１０に制御信号を供給する。気体供給量制御部１０は、供給された制御信号に応じて、散気部６の所定の区画ごとの気体供給量を制御する。
【０１１０】
また、反応槽２Ａ内には、その中央部分に、反応槽２Ａの長手方向に沿って仕切り板１３が設けられている。仕切り板１３は、その厚さ方向が反応槽２Ａの底面とほぼ平行になるように設置されている。換言すると、仕切り板１３は、その面が反応槽２Ａの底面に対して垂直になるように設置されている。この仕切り板１３によって、反応槽２Ａの内部は、仕切り板１３の上方部分および下方部分が開いて部分的に仕切られた状態になっている。
【０１１１】
以上のように構成された反応槽２Ａ内において、被処理水を流しつつ散気部６から被処理水に気体を供給して曝気を行うと、曝気された気体は、仕切り板１３に沿って上昇して、仕切り板１３に仕切られた状態で反対面側に旋回する。これとともに、被処理水は、反応槽２Ａの長手方向に沿って流動しているため、曝気された気体は図６中矢印Ｃのように螺旋状の旋回流を形成しながら、被処理水に溶存していく。同様にして、被処理水は反応槽２Ａの長手方向の軸をほぼ中心とするような螺旋状に旋回しつつ、反応槽２Ａの長手方向に沿って進行する。なお、散気部６からの気体供給量は、被処理水の流入量や反応槽２Ａの大きさや形状などの条件に応じて適宜設定される。
【０１１２】
そして、硝酸計７、７ａが設けられた位置におけるＡ−Ａ線に沿った断面図である図９Ａ中の矢印Ｃに示すように、散気部６から散気される空気などの酸素を含有した気体は被処理水とともに仕切り板１３の上方部分の間隙を通過して反対側に旋回する。また、空気の旋回に随伴する被処理水は、仕切り板１３の下方部分の間隙を通過して、散気部６の下方に到達する。この場合、被処理水の旋回流の流れ方向（矢印Ｃ）に沿って、上流側の好気領域３１と下流側の無酸素嫌気領域３２とが共存状態となる。好気領域３１は、好気性の硝化菌によって硝化反応が促進されて硝化領域を構成する一方で、無酸素嫌気領域３２は、嫌気性の脱窒菌によって脱窒反応が促進されて脱窒領域を構成する。
【０１１３】
そして、図９Ａに示すように、反応槽２Ａの長手方向に沿った上流側においては、被処理水には、図９Ａに示す位置より上流側の散気部６からの気体供給量に基づいた酸素が溶存している。これに対し、図９Ｂに示す位置においては、さらに反応槽２Ａの長手方向に沿った下流側であるため、図９Ａに示す位置に比して、溶存酸素量が多くなっている。そのため、図９Ｂに示す無酸素嫌気領域３２は、図９Ａに示す無酸素嫌気領域３２に比して、その領域が縮小している。すなわち、被処理水は、反応槽２Ａの長手方向に沿って上流側から下流側に向かって流れることから、下流に行くほど酸素との接触量が増加するので、溶存酸素が増加して好気領域３１が拡大する。これにより、この反応槽２Ａ内の被処理水においては、上流側から下流側になるに従って脱窒領域は減少傾向になる。一方、硝化領域は、上流側から下流側になるに従って増加傾向になる。
【０１１４】
以上のことから、反応槽２Ａの上流側においては、硝化反応が共存しつつも脱窒反応が促進され、下流側においては脱窒反応が生じつつも硝化反応が促進される。これにより、図３Ａ，図３Ｂに示すように、反応槽２Ａの上流側では、硝化反応が行われてもすぐに脱窒反応が進行するため、硝酸系窒素（ＮＯ３−Ｎ）や亜硝酸系窒素（ＮＯ２−Ｎ）はほとんど現出しない。そして、反応槽２Ａの下流側に進むに従って、脱窒反応によって全窒素濃度が減少しつつも、硝化反応が促進されることによって硝酸濃度が増加する。なお、その他の構成については、第１および第２の実施形態と同様であるので、説明を省略する。
【０１１５】
以上説明したこの第５の実施形態によれば、反応槽２Ａの内部において、仕切り板１３を設けつつ散気部６からの気体の供給によって、被処理水の旋回流を形成していることにより、硝化反応と脱窒反応とを制御良く共存させつつ、上流側において硝化反応による硝酸の現出をより効率良く抑制できるとともに、下流側において硝化反応を促進できるので、硝酸計７によって硝酸濃度を計測しつつ、この硝酸濃度が設定範囲内に納まるように散気部６を制御することにより、反応槽２Ａにおける脱窒反応と硝化反応とをより正確に制御することが可能となる。
【０１１６】
（第６の実施形態）
次に、本発明の第６の実施形態による制御装置を備えた窒素含有水の処理装置について説明する。図１０は、この第６の実施形態による窒素含有水の処理装置を示す構成図である。
【０１１７】
図１０に示すように、この第６の実施形態による窒素含有水の処理装置においては、第２の実施形態と異なり、複数箇所、具体的は例えば第１，第２，第３，および第４の所定位置の４箇所にそれぞれ硝酸計７ａ〜７ｄが設けられている。具体的には、硝酸計７ａ〜７ｄが第３の実施形態のように反応槽２Ａにおける被処理水の流れ方向に沿った後半部分ではなく、反応槽２Ａのほぼ全域に亘って配置されている。なお、全域に亘る配置においては、硝酸計７ａ〜７ｄを互いに均等な間隔で並べても、不均等な間隔で並べても良い。
【０１１８】
この第６の実施形態においては、制御部９は、硝酸計７ａによる硝酸濃度の計測値に基づいて、散気部６ａからの気体の供給量を制御する。また、制御部９は、硝酸計７ｂによる硝酸濃度の計測値に基づいて、散気部６ｂからの気体の供給量を制御する。同様に、制御部９は、硝酸計７ｃ，７ｄによるそれぞれの硝酸濃度の計測値に基づいて、散気部６ｃ，６ｄのそれぞれからの気体の供給量を制御する。その他の構成においては、第２および第３の実施形態と同様であるので、説明を省略する。
【０１１９】
この第６の実施形態においては、第２の実施形態に比して硝酸計の設置箇所を増加させていることにより、第２の実施形態の場合に比して、反応槽２Ａ内の硝化反応および脱窒反応をより細かく制御することができる。さらに、第３の実施形態に比して反応槽２Ａにおける硝酸計の設置箇所をより広範にしていることにより、反応槽２Ａの全域に亘って硝化反応および脱窒反応をより詳細に制御することが可能になる。
【０１２０】
（反応槽および散気部の変形例）
次に、上述した本発明の各実施形態における反応槽２Ａおよび内部の散気部６に関する変形例について説明する。
【０１２１】
（変形例２）
図１１Ａ〜図１１Ｆは、変形例２による反応槽２Ａ，２Ｂ，２Ｃ，・・・・を示す構成図である。図１１Ａに示すように、変形例２による反応槽２Ａ（２Ｂ，２Ｃ，・・・・も同じ）においては、第２の実施形態と同様に、反応槽２Ａの内部に複数の散気部１６ａ，１６ｂ，１６ｃが設けられている。これらの散気部１６ａ〜１６ｃはそれぞれ、制御部９（図１１Ａ中、図示せず）からの制御信号に基づいて、気体供給量を制御する気体供給量制御部１９ａ，１９ｂ，１９ｃにより制御される。また、第２の実施形態とは異なり、それぞれの散気部１６ａ〜１６ｃの間は、所定間隔に隔てて設けられている。すなわち、反応槽２Ａの全体としては気体が供給されている一方、被処理水の流れ方向に沿って局所的に、気体が供給される領域と気体が供給されない領域とが順次、交互または繰り返して形成される。これにより、反応槽２Ａ内において、好気性細菌の硝化菌と通性嫌気性の脱窒菌とを共存させつつ、それらの活動を交互に活発化させることができるので、第３の実施形態において説明した反応槽２Ａのように、反応槽２Ａ内において、硝化反応が生じる領域と脱窒反応が生じる領域とを制御性良く形成することができる。
【０１２２】
（変形例３）
また、図１１Ｂは、変形例３による反応槽２Ａを示す構成図である。図１１Ｂに示すように、変形例３による反応槽２Ａにおいては、第２の実施形態におけると同様に、反応槽２Ａの内部に複数の散気部２６ａ，２６ｂ，２６ｃ，２６ｄ，２６ｅが設けられている。そして、これらの散気部２６ａ〜２６ｅはそれぞれ、制御部９（図１１Ｂ中、図示せず）からの制御信号に基づいて、気体供給量を制御する気体供給量制御部２９ａ，２９ｂ，２９ｃ，２９ｄ，２９ｅにより制御される。また、第２の実施形態とは異なり、制御部９により、複数の散気部２６ａ〜２６ｅに対して選択的に、曝気を行う散気部と曝気を行わない散気部とが設定される。なお、図１１Ｂにおいては、散気部２６ａ，２６ｃ，２６ｅが曝気を行うとともに、散気部２６ｂ，２６ｄが曝気を行わないように制御される。そして、これらの散気部２６ａ〜２６ｅのうちの曝気を行う散気部と曝気を行わない散気部とは、反応槽２Ａ内を流れる被処理水の水質性状に応じて適宜選択される。すなわち、反応槽２Ａの全体としては気体が供給されている一方、被処理水の流れ方向に沿って局所的に、気体が供給される領域と気体が供給されない領域とが順次、交互または繰り返して形成される。これにより、反応槽２Ａ内において、好気性細菌の硝化菌と通性嫌気性の脱窒菌とを共存させつつ、それらの活動を順次、交互、または繰り返して活発化させることができるので、第３の実施形態による反応槽２Ａと同様に、反応槽２Ａ内において、硝化反応が生じる領域と脱窒反応が生じる領域とを制御性良く形成することができる。
【０１２３】
（変形例４）
また、図１１Ｃは、変形例４による反応槽２Ａを示す構成図である。図１１Ｃに示すように、変形例４による反応槽２Ａにおいては、第１の実施形態における変形例１と同様に、反応槽２Ａの内部に単体の散気部３６が設けられている。そして、この散気部３６は、制御部９（図１１Ｃ中、図示せず）からの制御信号に基づいて、気体供給量を制御する気体供給量制御部３９により制御される。また、変形例３とは異なり、制御部９により、散気部３６は、時間の経過に従って、順次、交互、または繰り返して曝気を行ったり曝気を行わなかったりするように制御される。
【０１２４】
図１１Ｄは、この曝気の有無のタイミングを示すタイミングチャートの一例である。図１１Ｄに示すように、散気部３６による曝気を行う時間（図１１Ｄ中、ＯＮ）と、曝気を行わない時間（図１１Ｄ中、ＯＦＦ）とは、反応槽２Ａ内を流れる被処理水の水質性状などの種々の条件によって適宜設定される。すなわち、反応槽２Ａの全体としては気体が供給される一方、時間の経過に従って、被処理水に気体が供給される時間と供給されない時間とが順次、交互または繰り返して設定される。これにより、反応槽２Ａ内において、好気性細菌の硝化菌と通性嫌気性の脱窒菌とを共存させつつ、それらの活動を時間の経過に従って、順次、交互、または繰り返して活発化させることができるので、第３の実施形態において説明した反応槽２Ａと同様に、反応槽２Ａ内において、硝化反応が生じる領域と脱窒反応が生じる領域とを制御性良く形成することができる。
【０１２５】
（変形例５）
さらに、図１１Ｅは、変形例５による反応槽２Ａを示す構成図である。図１１Ｅに示すように、変形例５による反応槽２Ａにおいては、変形例４と同様に反応槽２Ａの内部に単体の散気部４６が設けられている。そして、この散気部４６は、制御部９（図１１Ｅ中、図示せず）からの制御信号に基づいて、気体供給量を制御する気体供給量制御部４９により制御される。また、反応槽２Ａ内には、好気性細菌の硝化菌と通性嫌気性の脱窒菌とをともに担持した担体４３が複数投入されている。そして、反応槽２Ａ内に散気部４６から気体が供給されると反応槽２Ａ内が攪拌され、処理水中において担体４３が流動して被処理水内において担体４３は略一様に分布する。図１１Ｆは、この担体４３の断面構造を示す断面図である。
【０１２６】
図１１Ｆに示すように、担体４３は、粒状の樹脂製担体からなり、担体４３が被処理水中において、流動しても菌を保持可能である限りにおいて、その大きさや形状は種々の大きさや形状を採用できる。例えば、円柱形、球形等で、外径寸法が数ｍｍ程度のものが好ましい。また、担体４３の表面部の硝化反応ゾーンには主に好気性の硝化菌が、脱窒反応ゾーンには主に通性嫌気性の脱窒菌が担持されるようにしている。具体的には、担体４３は、硝化反応に寄与する好気性の硝化菌を外側領域４３ａに、この硝化菌に取り囲まれる形態で嫌気性の脱窒反応に寄与する通性嫌気性の脱窒菌を優占種として内側領域４３ｂに、それぞれ存在させる２層の微生物膜を表面部に担持させている。これにより、被処理水中の担体４３において、優占種として、より外側に位置する硝化菌は好気性条件とされ、より内側に位置する脱窒菌は、硝化菌に取り囲まれる形態で嫌気性条件が確保される。
【０１２７】
すなわち、反応槽２Ａの全体としては気体が供給される一方、反応槽２Ａの被処理水内における担体４３自体によって、好気性の硝化菌と嫌気性の脱窒菌とが共存して、硝化反応と脱窒反応とが共存した状態を形成することができる。これにより、反応槽２Ａ内において、好気性細菌の硝化菌と通性嫌気性の脱窒菌とを共存させつつ、それらの活動をともに活発化させることができるので、反応槽２Ａ内において、硝化反応と脱窒反応とを制御性良く共存させることができる。
【０１２８】
（変形例６）
次に、変形例６について説明する。図１２Ａは、第２の実施形態における図５に対応した変形例６による窒素含有水処理装置の構成図である。また、図１２Ｂは、目標硝化速度および測定硝化速度を説明するための反応槽内の被処理水の流れに沿って測定した図３Ａに対応するＮＨ４−Ｎ、ＮＯ２−Ｎ、およびＮＯ３−Ｎのそれぞれの窒素濃度、および全窒素濃度を示すグラフである。この変形例６においては、脱窒確認手段として一対のアンモニア計を用いる。
【０１２９】
すなわち、図１２Ａに示すように、変形例６においては、第２の実施形態とは異なり、反応槽２Ａの硝酸計７の代わりに、被処理水の流れ方向に沿った上流側の第１のアンモニア計５８ａと下流側の第２のアンモニア計５８ｂとの一対のアンモニア計からなる硝化速度計５８が設置されている。第１のアンモニア計５８ａおよび第２のアンモニア計５８ｂによって計測されたアンモニア濃度の計測値は、それぞれ制御部９に供給される。その他の構成は、第２の実施形態と同様であるので、説明を省略する。
【０１３０】
次に、脱窒確認手段として一対の第１のアンモニア計５８ａおよび第２のアンモニア計５８ｂからなる硝化速度計５８を用いた場合における、制御部９による制御方法について説明する。まず、第１のアンモニア計５８ａおよび第２のアンモニア計５８ｂがそれぞれ、第１のアンモニア濃度ＮＨ１および第２のアンモニア濃度ＮＨ２を計測する。それぞれの第１のアンモニア濃度ＮＨ１および第２のアンモニア濃度ＮＨ２は、制御部９に供給される。制御部９は、供給された第１のアンモニア濃度ＮＨ１と第２のアンモニア濃度ＮＨ２（ＮＨ１＞ＮＨ２）とから測定硝化速度を算出する。具体的には、上流側の第１のアンモニア計５８ａにより測定されたアンモニア濃度ＮＨ１と、これより下流側のアンモニア濃度ＮＨ２とから、（１１）式に基づいて測定硝化速度を算出する。なお、この測定硝化速度は、図１２Ｂに示す実線の傾きの絶対値に相当し、硝化速度計５８の設置位置に応じて測定硝化速度は２本の実線のように異なる場合がある。
【数１】
2015054270.tif 000005
【０１３１】
一方、種々の反応槽２Ａごとにあらかじめ、処理水目標値としての最終的なアンモニア濃度（目標アンモニア濃度）ＮＨ３が設定されている。制御部９は、この目標アンモニア濃度ＮＨ３と、第１のアンモニア計５８ａの位置において計測されたアンモニア濃度ＮＨ１とから、基準となる硝化速度（目標硝化速度）を算出して、制御部９の記録領域（図示せず）に格納する。この目標硝化速度は、以下の（１２）式に基づいて算出される。なお、この目標硝化速度は、図１２Ｂに示す点線の傾きの絶対値に相当する。
【数２】
2015054270.tif 000006
【０１３２】
そして、図１２Ａに示すように、制御部９は、第１のアンモニア計５８ａと第２のアンモニア計５８ｂとの間における測定硝化速度、すなわち硝化速度計５８により計測された測定硝化速度が、目標硝化速度未満になるように、少なくとも第２のアンモニア計５８ｂより上流側の散気部６からの気体供給量を制御する。これにより、第２のアンモニア計５８ｂより上流側における硝化反応の進行を抑制して、この領域における脱窒反応を促進することができる。また、測定硝化速度が目標硝化速度未満であっても、遅くなりすぎてしまうと、反応槽２Ａの流出側においてアンモニア濃度が所望の目標アンモニア濃度ＮＨ３まで減少しない場合がある。そこで、本発明者の実験から得た知見によれば、測定硝化速度は、目標硝化速度の半分より大きくするのが好ましい。すなわち、制御部９は、以下の（１３）式が成り立つように散気部６からの気体供給量を制御する。
【数３】
2015054270.tif 000007
【０１３３】
具体的には、目標硝化速度に対する測定硝化速度が（１３）式によって設定された範囲よりも大きくなった場合、すなわち、測定硝化速度が目標硝化速度以上になった場合には、硝化反応が進みすぎていることになる。そのため、制御部９は、反応槽２Ａにおける被処理水の流れ方向に沿った第２のアンモニア計５８ｂより少なくとも上流側における散気部６ａ，６ｂからの空気の供給量を減少させる。これにより制御部９は、反応槽２Ａにおいて、硝化反応が進みすぎないように制御する。一方、目標硝化速度に対する測定硝化速度が（１３）式によって設定された範囲よりも小さくなった場合、すなわち、測定硝化速度が目標硝化速度の半分以下になった場合には、硝化反応が抑制されすぎていることになる。そのため、制御部９は、反応槽２Ａにおける被処理水の流れ方向に沿った第２のアンモニア計５８ｂより少なくとも上流側における散気部６ａ，６ｂからの空気の供給量を増加させる。これにより、制御部９は、反応槽２Ａにおいて硝化反応を所望の硝化速度で行うように制御する。
【０１３４】
以上説明した変形例６においては、上述した実施形態において硝酸計によって行っていた脱窒処理の制御を、一対のアンモニア計を用いて行っている。これにより、反応槽２Ａ内において、好気性細菌の硝化菌と通性嫌気性の脱窒菌とを共存させつつ、それらの活動をともに活発化させることができる。これによって、反応槽２Ａ内において、硝化反応と脱窒反応とを制御性良く共存させることができる。
【０１３５】
以上、本発明の実施形態について具体的に説明したが、本発明は、上述の実施形態に限定されるものではなく、本発明の技術的思想に基づく各種の変形が可能である。例えば、上述の一実施形態において挙げた数値はあくまでも例に過ぎず、必要に応じてこれと異なる数値を用いてもよい。
【０１３６】
また、上述の実施形態においては、いわゆる標準活性汚泥法による窒素含有水の生物処理について説明したが、本発明は、必ずしもこの方法に限定されるものではなく、好気槽を用いる種々の処理方法に適用することができる。具体的に、本発明は、ＡＯ（嫌気−好気）法、Ａ2Ｏ（嫌気−無酸素−好気）法、硝化＋内生脱窒法、多段ステップ流入式硝化脱窒法、および多段ステップ流入式Ａ2Ｏ法などの好気槽を用いる各種の窒素含有水の処理方法に適用することが可能である。
【０１３７】
また、反応槽２Ａ、２Ｂ、２Ｃ・・・として、深さが１０ｍ程度の深槽旋回流反応槽や、５ｍ程度の浅槽反応槽を採用することも可能である。
【０１３８】
また、上述の実施形態においては、制御部と気体供給量制御部とを別体としているが、これらの制御部と気体供給量制御部とは同一の制御部から構成することも可能であり、同様の機能を有する３つ以上の別体から構成することも可能である。
【０１３９】
また、上述の変形例６においては、硝化速度計を複数のアンモニア計、具体的には一対のアンモニア計から構成し、この硝化速度計を用いて反応槽２Ａ内の被処理水における硝化速度を測定しているが、硝化速度計は必ずしも一対のアンモニア計に限定されるものではなく、さらに３つ以上のアンモニア計を採用しても、硝化速度を計測可能な各種の装置を採用しても良い。
【符号の説明】
【０１４０】
１  最初沈殿池
２Ａ  複数の反応槽のうちいずれか１つの反応槽
２Ｂ，２Ｃ  それ以外の反応槽
２ａ，２ｂ，２ｃ，２ｄ  好気槽
３  固液分離槽
４ａ  分離液
４ｂ  活性汚泥
５  汚泥返送経路
６，６ａ，６ｂ，６ｃ，６ｄ，１６ａ，１６ｂ，１６ｃ，２６ａ，２６ｂ，２６ｃ，２６ｄ，２６ｅ，３６，４６  散気部
７  硝酸計
７ａ  第１の所定位置の硝酸計
７ｂ  第ｎの所定位置の硝酸計
８  ブロア
９  制御部
１０，１０ａ，１０ｂ，１０ｃ，１０ｄ，１９ａ，１９ｂ，１９ｃ，２９ａ，２９ｂ，２９ｃ，２９ｄ，２９ｅ，３９，４９  気体供給量制御部
１２  嫌気槽
１２ａ  モータ
１２ｂ  攪拌部
１３  仕切り板
３１  好気領域
３２  無酸素嫌気領域
４３  担体
４３ａ  外側領域
４３ｂ  内側領域
５８  硝化速度計
５８ａ  第１のアンモニア計
５８ｂ  第２のアンモニア計
６１  流量制御手段
８１  上流側脱窒区間
８２  下流側硝化区間
８３  散気による散気効果が発現するまでの区間
８４，８５  硝酸計に起因する散気手段の制御が行われる区間
８８、８９  ＤＯ計
【図１Ａ】
2015054270.tif 000008
【図１Ｂ】
2015054270.tif 000009
【図２Ａ】
2015054270.tif 000010
【図２Ｂ】
2015054270.tif 000011
【図３Ａ】
2015054270.tif 000012
【図３Ｂ】
2015054270.tif 000013
【図４Ａ】
2015054270.tif 000014
【図４Ｂ】
2015054270.tif 000015
【図５】
2015054270.tif 000016
【図６】
2015054270.tif 000017
【図７】
2015054270.tif 000018
【図８】
2015054270.tif 000019
【図９Ａ】
2015054270.tif 000020
【図９Ｂ】
2015054270.tif 000021
【図１０】
2015054270.tif 000022
【図１１Ａ】
2015054270.tif 000023
【図１１Ｂ】
2015054270.tif 000024
【図１１Ｃ】
2015054270.tif 000025
【図１１Ｄ】
2015054270.tif 000026
【図１１Ｅ】
2015054270.tif 000027
【図１１Ｆ】
2015054270.tif 000028
【図１２Ａ】
2015054270.tif 000029
【図１２Ｂ】
2015054270.tif 000030